(57)【要約】【課題】上り単位バンド及び上り単位バンドと対応づけられた複数の下り単位バンドを使用した通信においてＡＲＱが適用される場合、かつ、端末に設定されたＣＷ数よりも実際に伝送されたＣＷ数が少ない場合において、応答信号の特性を改善すること。【解決手段】制御部２０８は、Channel selection時、ＣＣＥに関連付けられたＰＵＣＣＨリソース、および、基地局１００から予め通知された特定のＰＵＣＣＨリソースの中から、応答信号の送信に用いるリソースを選択し、応答信号の送信を制御し、応答信号生成部２１２は、ランク落ちした非伝送のＣＷに対応する誤り検出結果を除く、誤り検出結果の各組合せに対して、選択基準に基づいて、ランク落ちが発生して非伝送になった分のＣＷに対する誤り検出結果をＡＣＫとするか、ＮＡＣＫとするか、またはＤＴＸとするかを選択する。【選択図】図１４
2012104874.tif 000002
【特許請求の範囲】
【請求項１】
少なくとも２つの下り単位バンドと少なくとも１つの上り単位バンドとを有する単位バンドグループを用いて基地局と通信し、
少なくとも１つの下り単位バンドに割り当てられたデータが、２コードワード伝送されるよう設定された端末装置であって、
前記単位バンドグループ内の少なくとも１つの下り単位バンドの下り制御チャネルで送信された下り割当制御情報を受信する制御情報受信手段と、
前記下り割当制御情報が示す下りデータチャネルで送信された下りデータを受信する下りデータ受信手段と、
前記下りデータの受信誤りを検出する誤り検出手段と、
前記誤り検出手段で得られた誤り検出結果と、応答信号の送信ルールテーブルとに基づいて、応答信号を前記上り単位バンドの上り制御チャネルで送信する第１応答制御手段と、
前記上り制御チャネルのうち、少なくとも１つの上り制御チャネルは、下り受信データを指示する下り割当制御情報の基本単位に１対１に関連付けられた上り制御チャネルを選択する第２応答制御手段と、
を具備し、
前記送信ルールテーブルでは、設定されるコードワード数よりも、伝送されるコードワード数の方が少ない場合において、非伝送のコードワードに対応する誤り検出結果を除く、誤り検出結果の各組合せに対してそれぞれ、選択基準に基づいて、非伝送になった分のコードワードに対する誤り検出結果がＡＣＫ、ＮＡＣＫまたはＤＴＸの中から選択される、
端末装置。
【請求項２】
前記送信ルールテーブルでは、非伝送のコードワードに対応する誤り検出結果を除く、誤り検出結果の各組合せに対する、非伝送になった分のコードワードに対する誤り検出結果のうち、非伝送になった分のコードワードに対する誤り検出結果が、少なくとも１つＡＣＫであり、かつ、非伝送になった分のコードワードに対する誤り検出結果が、少なくとも１つＮＡＣＫまたはＤＴＸである、
請求項１に記載の端末装置。
【請求項３】
前記選択基準は、基地局からの設定に基づき切り替えられる、
請求項１に記載の端末装置。
【請求項４】
前記選択基準とは、上り制御チャネルのリソース内の複数の位相点間の距離が、最大になるような選択がなされるものである、
請求項１に記載の端末装置。
【請求項５】
前記選択基準とは、上り制御チャネルのリソース内の、非伝送のコードワードに対応する誤り検出結果を除く、誤り検出結果の組合せが、グレイマッピングになるような選択がなされるものである、
請求項１に記載の端末装置。
【請求項６】
前記選択基準は、ＰＵＣＣＨ  フォーマット１ａへのフォールバックをサポートする、
請求項１に記載の端末装置。
【請求項７】
前記選択基準とは、応答信号を通知するために用いる上り制御チャネルのリソース候補数を、２を伝送された総コードワード数で累乗したものを４で除算した値以上、かつ、２を伝送された総コードワード数で累乗したものを２で除算した値以下とするものである、
請求項１に記載の端末装置。
【請求項８】
前記選択基準とは、応答信号を通知するために用いる上り制御チャネルのリソース候補数を、伝送される総コードワード数より大きく、かつ、設定される総コードワード数以下とするものである、
請求項１に記載の端末装置。
【請求項９】
少なくとも２つの下り単位バンドと少なくとも１つの上り単位バンドとを有する単位バンドグループを用い、
少なくとも１つの下り単位バンドに割り当てられたデータが、２コードワード伝送されるよう設定され、
前記単位バンドグループ内の少なくとも１つの下り単位バンドの下り制御チャネルで送信された下り割当制御情報を受信する制御情報受信ステップと、
前記下り割当制御情報が示す下りデータチャネルで送信された下りデータを受信する下りデータ受信ステップと、
前記下りデータの受信誤りを検出する誤り検出ステップと、
前記誤り検出ステップで得られた誤り検出結果と、応答信号の送信ルールテーブルとに基づいて、応答信号を前記上り単位バンドの上り制御チャネルで送信する第１応答制御ステップと、
前記上り制御チャネルのうち、少なくとも１つの上り制御チャネルは、下り受信データを指示する下り割当制御情報の基本単位に１対１に関連付けられた上り制御チャネルを選択する第２応答制御ステップと、
を具備し、
前記送信ルールテーブルでは、設定されるコードワード数よりも、伝送されるコードワード数の方が少ない場合において、非伝送のコードワードに対応する誤り検出結果を除く、誤り検出結果の各組合せに対してそれぞれ、選択基準に基づいて、非伝送になった分のコードワードに対する誤り検出結果がＡＣＫ、ＮＡＣＫまたはＤＴＸの中から選択される、
再送制御方法。
【請求項１０】
全ての上り制御チャネルが、下り受信データを指示する下り割当制御情報の基本単位に１対１に関連付けられている、
請求項９に記載の再送制御方法。
【発明の詳細な説明】
【技術分野】
【０００１】
本発明は、端末装置及び再送制御方法に関する。
【背景技術】
【０００２】
３ＧＰＰ ＬＴＥでは、下り回線の通信方式としてＯＦＤＭＡ（Orthogonal Frequency Division Multiple Access）が採用されている。３ＧＰＰ ＬＴＥが適用された無線通信システムでは、基地局が予め定められた通信リソースを用いて同期信号（Synchronization Channel：ＳＣＨ）及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ（例えば、周波数帯域幅など）を取得する（非特許文献１、２、３参照）。
【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ（Physical Downlink Control Channel）を介して制御情報を送信する。
【０００４】
そして、端末は、受信したＰＤＣＣＨ信号に含まれる複数の制御情報（下り割当制御情報：DL Assignment（Downlink Control Information：ＤＣＩと呼ばれることもある））をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。
【０００５】
また、３ＧＰＰ ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号。以下、単に「Ａ／Ｎ」と表記することもある)のフィードバックには、ＰＵＣＣＨ（Physical Uplink Control Channel）等の上り回線制御チャネルが用いられる。
【０００６】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数（２，４，８個）のＣＣＥから構成される場合には、そのＬ１／Ｌ２ＣＣＨには偶数のインデックスを持つＣＣＥを起点とする連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。
【０００７】
また、ここで、各ＣＣＥは、ＰＵＣＣＨの構成リソース（以下、ＰＵＣＣＨリソースと呼ぶことがある）と１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを特定し、このリソースを用いて応答信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一番インデックスが小さいＣＣＥに対応するＰＵＣＣＨ構成リソース（すなわち、偶数番号のＣＣＥインデックスを持つＣＣＥに対応付けられたＰＵＣＣＨ構成リソース）を利用して、応答信号を基地局へ送信する。こうして下り回線の通信リソースが効率良く使用される。
【０００８】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ（Discrete Fourier Transform）系列によって拡散され、ＰＵＣＣＨ内でコード多重されている。図１において（Ｗ０,Ｗ１,Ｗ２,Ｗ３）は系列長４のウォルシュ系列を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボルに対応する周波数成分へ１次拡散される。すなわち、系列長１２のＺＡＣ系列に対して複素数で表される応答信号成分が乗算される。次いで１次拡散後の応答信号及び参照信号としてのＺＡＣ系列がウォルシュ系列（系列長４：Ｗ０〜Ｗ３。ウォルシュ符号系列（Walsh Code Sequence）と呼ばれることもある）、ＤＦＴ系列（系列長３：Ｆ０〜Ｆ３）それぞれに対応させられて２次拡散される。すなわち、系列長１２の信号（１次拡散後の応答信号、又は、参照信号としてのＺＡＣ系列（Reference Signal Sequence）のそれぞれの成分に対して、直交符号系列（Orthogonal sequence：ウォルシュ系列又はＤＦＴ系列）の各成分が乗算される。さらに、２次拡散された信号が、ＩＦＦＴ（Inverse Fast Fourier Transform）によって時間軸上の系列長１２の信号に変換される。そして、ＩＦＦＴ後の信号それぞれに対しＣＰが付加され、７つのＳＣ−ＦＤＭＡシンボルからなる１スロットの信号が形成される。
【０００９】
異なる端末からの応答信号同士は、異なる巡回シフト量（Cyclic Shift Index）に対応するＺＡＣ系列、又は、異なる系列番号（Orthogonal Cover Index : OC index）に対応する直交符号系列を用いて拡散されている。直交符号系列は、ウォルシュ系列とＤＦＴ系列との組である。また、直交符号系列はブロックワイズ拡散コード系列（Block-wise spreading code）と称されることもある。従って、基地局は、従来の逆拡散及び相関処理を用いることにより、これらコード多重された複数の応答信号を分離することができる（非特許文献４参照）。
【００１０】
ただし、各端末が各サブフレームにおいて自分宛の下り割当制御信号をブラインド判定するので、端末側では、必ずしも下り割当制御信号の受信が成功するとは限らない。端末が或る下り単位バンドにおける自分宛の下り割当制御信号の受信に失敗した場合、端末は、当該下り単位バンドにおいて自分宛の下り回線データが存在するか否かさえも知り得ない。従って、或る下り単位バンドにおける下り割当制御信号の受信に失敗した場合、端末は、当該下り単位バンドにおける下り回線データに対する応答信号も生成しない。このエラーケースは、端末側で応答信号の送信が行われないという意味での、応答信号のＤＴＸ（DTX (Discontinuous transmission) of ACK/NACK signals）として定義されている。
【００１１】
ところで、３ＧＰＰ ＬＴＥシステム（以下、「ＬＴＥシステム」と呼ばれることがある）では、基地局は上り回線データ及び下り回線データに対してそれぞれ独立にリソース割当を行う。そのため、ＬＴＥシステムでは、上り回線において、端末（つまり、ＬＴＥシステム対応の端末（以下、「ＬＴＥ端末」という））が、下り回線データに対する応答信号と、上り回線データとを同時に送信しなければならない状況が発生する。この状況では、端末からの応答信号及び上り回線データは、時間多重（Time Division Multiplexing：ＴＤＭ）を用いて送信される。このように、ＴＤＭを用いて応答信号と上り回線データとを同時に送信することで、端末の送信波形のシングルキャリア特性（Single carrier properties）を維持している。
【００１２】
また、図２に示すように、時間多重（ＴＤＭ）では、端末から送信される応答信号（「Ａ／Ｎ」）は、上り回線データ向けに割り当てられたリソース（ＰＵＳＣＨ（Physical Uplink Shared CHannel）リソース）の一部（参照信号（ＲＳ（Reference Signal））がマッピングされるＳＣ−ＦＤＭＡシンボルに隣接するＳＣ−ＦＤＭＡシンボルの一部）を占有して基地局に送信される。ただし、図中の縦軸の「Subcarrier」は「Virtual subcarrier」、又は「Time contiguous signal」と呼ばれることもあり、ＳＣ−ＦＤＭＡ送信機においてＤＦＴ（Discrete Fourier Transform）回路に纏めて入力される「時間的に連続する信号」を便宜上「subcarrier」として表したものである。すなわち、ＰＵＳＣＨリソースでは、応答信号によって、上り回線データのうちの任意のデータがパンクチャ（puncture）される。このため、符号化後の上り回線データの任意のビットがパンクチャされることで、上り回線データの品質（例えば、符号化利得）が大幅に劣化する。そのため、基地局は、例えば、端末に対して非常に低い符号化率を指示したり、非常に大きな送信電力を指示したりすることで、パンクチャによる上り回線データの品質劣化を補償する。
【００１３】
また、３ＧＰＰ ＬＴＥよりも更なる通信の高速化を実現する３ＧＰＰ ＬＴＥ−Ａｄｖａｎｃｅｄの標準化が開始された。３ＧＰＰ ＬＴＥ−Ａｄｖａｎｃｅｄシステム（以下、「ＬＴＥ−Ａシステム」と呼ばれることがある）は、３ＧＰＰ ＬＴＥシステム（以下、「ＬＴＥシステム」と呼ばれることがある）を踏襲する。３ＧＰＰ ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。
【００１４】
ＬＴＥ−Ａシステムにおいては、ＬＴＥシステムにおける伝送速度の数倍もの超高速伝送速度による通信、及び、ＬＴＥシステムに対する後方互換性（バックワードコンパチビリティー：Backward Compatibility）を同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、又は、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、又は、中心付近にＰＵＳＣＨ（Physical Uplink Shared Channel）領域を含み、両端部にＬＴＥ向けのＰＵＣＣＨを含む２０ＭＨｚ以下の通信帯域の基本単位として定義されることもある。また、「単位バンド」は、３ＧＰＰ ＬＴＥ−Ａｄｖａｎｃｅｄにおいて、英語でＣｏｍｐｏｎｅｎｔ Ｃａｒｒｉｅｒ（ｓ）又はＣｅｌｌと表記されることがある。また、略称としてＣＣ（ｓ）と表記されることもある。
【００１５】
そして、ＬＴＥ−Ａシステムでは、その単位バンドを幾つか束ねた帯域を用いた通信、所謂Carrier aggregationがサポートされる。そして、一般的に上りに対するスループット要求と下りに対するスループット要求とは異なるので、ＬＴＥ−Ａシステムでは、任意のＬＴＥ−Ａシステム対応の端末（以下、「ＬＴＥ−Ａ端末」という）に対して設定される単位バンドの数が上りと下りで異なるCarrier aggregation、所謂Asymmetric Carrier aggregationも検討されている。さらに、上りと下りで単位バンド数が非対称であり、且つ、各単位バンドの周波数帯域幅がそれぞれ異なる場合も、サポートされる。
【００１６】
図３は、個別の端末に適用される非対称のCarrier aggregation及びその制御シーケンスの説明に供する図である。図３には、基地局の上りと下りの帯域幅及び単位バンド数が対称である例が示されている。
【００１７】
図３において、端末１に対しては、２つの下り単位バンドと左側の１つの上り単位バンドを用いてCarrier aggregationを行うような設定（Configuration）が為される一方、端末２に対しては、端末１と同一の２つの下り単位バンドを用いるような設定が為されるにも拘らず、上り通信では右側の上り単位バンドを利用するような設定が為される。
【００１８】
そして、端末１に着目すると、ＬＴＥ−Ａシステムを構成するＬＴＥ−Ａ基地局とＬＴＥ−Ａ端末との間では、図３（ａ）に示すシーケンス図に従って、信号の送受信が行われる。図３（ａ）に示すように、（１）端末１は、基地局との通信開始時に、左側の下り単位バンドと同期を取り、左側の下り単位バンドとペアになっている上り単位バンドの情報をＳＩＢ２（System Information Block Type 2）と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。
【００１９】
また、前述のCarrier aggregationが適用されるＬＴＥ−Ａでは、端末が一度に複数の下り単位バンドにおいて複数の下り回線データを受信することがある。ＬＴＥ−Ａでは、この複数の下り回線データに対する複数の応答信号の送信方法として、Channel Selection（Multiplexingとも呼ぶ）、Bundling、及び、ＤＦＴ−Ｓ−ＯＦＤＭ（Discrete Fourier Transform spread Orthogonal Frequency Division Multiplexing）フォーマットが検討されている。Channel Selectionでは、複数の下り回線データに関する誤り検出結果のパターンに応じて、応答信号に用いるシンボル点だけでなく、応答信号をマッピングするリソースも変化させる。これに対し、Bundlingでは、複数の下り回線データに関する誤り検出結果より生成されたＡＣＫ又はＮＡＣＫ信号をBundlingして（すなわち、ＡＣＫ＝１、ＮＡＣＫ＝０とし、複数の下り回線データに関する誤り検出結果の論理積（Logical AND)を計算して）、予め決められた一つのリソースを用いて応答信号を送信する。また、ＤＦＴ−Ｓ−ＯＦＤＭフォーマットを用いた送信時には、端末は複数の下り回線データに対する応答信号を纏めて符号化（Joint coding）し、当該フォーマットを用いてその符号化データを送信する（非特許文献５参照）。
【００２０】
すなわち、Channel Selectionは、図４に示すように、複数の下り単位バンドで受信した複数の下り回線データに対する誤り検出結果がそれぞれＡＣＫかＮＡＣＫかに基づいて、応答信号の位相点（すなわち、Constellation point）だけではなく、応答信号の送信に用いるリソース（以下、「ＰＵＣＣＨリソース」と表記することもある）も変化させる手法である。これに対し、Bundlingは、複数の下り回線データに対するＡＣＫ／ＮＡＣＫ信号を一つに束ねて、予め決められた一つのリソースから送信する手法である（非特許文献６、７参照）。
【００２１】
ここで、端末がＰＤＣＣＨを介して下り割当制御情報を受信し、下り回線データを受信した場合における上り回線での応答信号の送信方法として、以下の２つの方法が考えられる。
【００２２】
一つは、ＰＤＣＣＨが占有しているＣＣＥ（Control Channel Element）と１対１に関連付けられたＰＵＣＣＨリソースを用いて応答信号を送信する方法（Implicit signalling）である（方法１）。つまり、基地局配下の端末に向けたＤＣＩをＰＤＣＣＨ領域に配置する場合、各ＰＤＣＣＨは、１つまたは連続する複数のＣＣＥで構成されるリソースを占有する。また、ＰＤＣＣＨが占有するＣＣＥ数（ＣＣＥ連結数：CCE aggregation level）としては、例えば、割当制御情報の情報ビット数又は端末の伝搬路状態に応じて、１，２，４，８の中の１つが選択される。
【００２３】
もう一つは、基地局からＰＵＣＣＨ向けのリソースを端末に対して予め通知しておく方法（Explicit signalling）である（方法２）。つまり、方法２では、端末は、基地局から予め通知されたＰＵＣＣＨリソースを用いて応答信号を送信する。
【００２４】
また、図４に示すように、２つの下り単位バンドのうち、１つの下り単位バンドは、応答信号を送信すべき１つの上り単位バンドとペアになっている。このような応答信号を送信すべき上り単位バンドとペアになっている下り単位バンドは、ＰＣＣ（Primary Component Carrier）又はＰＣｅｌｌ（Primary Cell）と呼ばれる。また、それ以外の下り単位バンドは、ＳＣＣ（Secondary Component Carrier）又はＳＣｅｌｌ（Secondary Cell）と呼ばれる。例えば、ＰＣＣ（ＰＣｅｌｌ）は、応答信号を送信すべき上り単位バンドに関する報知情報（例えば、ＳＩＢ２（System Information Block type2））を送信している下り単位バンドである。
【００２５】
また、Channel selectionでは、ＰＣＣ（ＰＣｅｌｌ）内のＰＤＳＣＨを指示するＰＤＣＣＨが占有している、ＣＣＥの先頭ＣＣＥインデックスに１対１に関連付けられて、上り単位バンド内のＰＵＣＣＨリソース（図４ではＰＵＣＣＨ領域１内のＰＵＣＣＨリソース）が割り当てられる（Implicit signalling）。
【００２６】
ここで、上記した非対称のCarrier aggregationが端末に適用される場合のChannel SelectionによるＡＲＱ制御について、図４、図５を援用して説明する。
【００２７】
例えば、図４に示すように、端末１に対して、下り単位バンド１（ＰＣｅｌｌ），下り単位バンド２（ＳＣｅｌｌ）及び上り単位バンド１から成る単位バンドグループ（英語で「Component carrier set」と表記されることがある）が設定される場合には、下り単位バンド１，２のそれぞれのＰＤＣＣＨを介して下りリソース割当情報が基地局から端末１へ送信された後に、その下りリソース割当情報に対応するリソースで下り回線データが送信される。
【００２８】
また、Channel selectionでは、単位バンド１（ＰＣｅｌｌ）における下りデータの受信に成功し、単位バンド２（ＳＣｅｌｌ）における下りデータの受信に失敗した場合（つまり、単位バンド１（ＰＣｅｌｌ）の誤り検出結果がＡＣＫで、単位バンド２（ＳＣｅｌｌ）の誤り検出結果がＮＡＣＫの場合）には、Implicit signallingされるＰＵＣＣＨ領域１内に含まれるＰＵＣＣＨリソースに、応答信号がマッピングされ、且つ、その応答信号の位相点として、第１の位相点（例えば、（１，０）等の位相点）が用いられる。また、単位バンド１（ＰＣｅｌｌ）における下りデータの受信に成功し、かつ、単位バンド２（ＳＣｅｌｌ）における下りデータの受信にも成功した場合には、ＰＵＣＣＨ領域２内に含まれるＰＵＣＣＨリソースに応答信号がマッピングされ、且つ、第１の位相点が用いられる。すなわち、下り単位バンドが２つの場合、かつ、下り単位バンドあたり１つのコードワード（Code Word：ＣＷ）が存在する場合、誤り検出結果のパターンが４パターン（すなわち、ＡＣＫ／ＡＣＫ、ＡＣＫ／ＮＡＣＫ、ＮＡＣＫ／ＡＣＫ、ＮＡＣＫ／ＮＡＣＫ）あるので、２つのＰＵＣＣＨリソースと２種類の位相点（例えばＢＰＳＫ（Binary Phase Shift Keying）マッピング）との組み合わせにより、その４パターンを表すことができる。
【００２９】
また、単位バンド１（ＰＣｅｌｌ）において、ＤＣＩの受信に失敗し、単位バンド２（ＳＣｅｌｌ）における下りデータの受信に成功した場合（つまり、単位バンド１（ＰＣｅｌｌ）の誤り検出結果がＤＴＸで、単位バンド２（ＳＣｅｌｌ）の誤り検出結果がＡＣＫの場合）には、端末１宛のＰＤＣＣＨが占有しているＣＣＥを特定できないため、その先頭ＣＣＥインデックスに１対１に関連付けられた、ＰＵＣＣＨ領域１内に含まれるＰＵＣＣＨリソースもまた、特定できない。したがって、この場合、単位バンド２の誤り検出結果であるＡＣＫを基地局に通知するためには、explicit signallingされたＰＵＣＣＨ領域２内に含まれるＰＵＣＣＨリソースに応答信号がマッピングされる必要がある（以降、「Implicit signallingをサポートする」と表記することもある）。
【００３０】
ここで、具体的に、下り単位バンドが２つ（ＰＣｅｌｌが１つで、ＳＣｅｌｌが１つ）の場合、かつ、
（ａ）下り単位バンドあたり１ＣＷ、
（ｂ）一方の下り単位バンドは１ＣＷで、他方の下り単位バンドは２ＣＷ、
（ｃ）下り単位バンドあたり２ＣＷ、
のそれぞれの場合の誤り検出結果のパターンのマッピングの一例を図５に示す。誤り検出結果のパターン数は、（ａ）については、２＾２＝４パターン存在する。（ｂ）については、２＾３＝８パターン存在する。（ｃ）については、２＾４＝１６パターン存在する。全てのパターンをマッピングするために必要なＰＵＣＣＨリソース数は、マッピングする各位相点間の位相差が最小でも９０度である場合（すなわち、１つのＰＵＣＣＨリソースあたり最大４パターンをマッピングする場合）、（ａ）については、１つ以上、（ｂ）については、２つ以上、（ｃ）については、４つ以上、となる。
【００３１】
図５（ａ）では誤り検出結果のパターンが４パターンしか存在しないため、ＱＰＳＫでマッピングすればＰＵＣＣＨリソースは１つで十分である。しかし、マッピングの自由度と、応答信号を基地局に通知する際の誤り率を改善させるため、図５（ａ）に示すように、２つのＰＵＣＣＨリソースを用いてＢＰＳＫマッピングすることができる。図５（ａ）のマッピングでは、単位バンド２（ＳＣｅｌｌ）に対応する誤り検出結果については、基地局は、どちらのＰＵＣＣＨリソースに対して応答信号が通知されているかを判定するだけで、ＡＣＫかＮＡＣＫかの判定が可能になる。
【００３２】
一方で、単位バンド１（ＰＣｅｌｌ）に対応する誤り検出結果については、基地局は、どちらのＰＵＣＣＨリソースに対して応答信号が通知されているかを判定するだけでは、ＡＣＫかＮＡＣＫかの判定ができず、さらに、ＢＰＳＫ上のどちらのパターンにマッピングされているかを判定することで、基地局はＡＣＫかＮＡＣＫかの判定が可能になる。
【００３３】
このように、マッピングの方法によって、基地局は、応答信号の判定方法が異なり、その結果、応答信号毎の誤り率特性に差が発生する。すなわち、応答信号が通知されたＰＵＣＣＨリソースを判定するだけで、ＡＣＫかＮＡＣＫかを判定する方法（以降、「判定方法１」と表記することもある）と、応答信号が通知されたＰＵＣＣＨリソースを判定し、かつ、そのＰＵＣＣＨリソースの位相点を判定する方法（以降、「判定方法２」と表記することもある）とでは、ＡＣＫかＮＡＣＫかを判定する際の誤り率特性が異なる。一般に、判定方法１の方が良好な誤り率特性を有する。
【００３４】
同様に、図５（ｂ）では、単位バンド１（ＰＣｅｌｌ）のＣＷ０に対応する応答信号の誤り率特性が、他の２つの応答信号の誤り率特性よりも誤りが少ない。図５（ｃ）では、単位バンド１（ＰＣｅｌｌ）の２ＣＷ（ＣＷ０、ＣＷ１）に対応する応答信号の誤り率特性が、単位バンド２（ＳＣｅｌｌ）の２ＣＷ（ＣＷ０、ＣＷ１）に対応する応答信号の誤り率特性よりも誤りが少ない。
【００３５】
ところで、基地局と端末との間において、端末に設定（configuration）されているＣＣ数の認識が異なる期間（uncertainty period、または、misalignment period）が存在する。基地局は、端末に対して、ＣＣ数を変更するよう再設定（reconfiguration）するメッセージを通知し、端末はその通知を受けて、ＣＣ数が変更されたと認識し、基地局に対してＣＣ数の再設定の完了メッセージを通知する。基地局は、その通知を受けて初めて、端末に設定されているＣＣ数が変更されたと認識することに起因する。
【００３６】
例えば、端末は、設定されているＣＣ数が１つであると認識していて、一方、基地局は、端末に設定されているＣＣ数が２つであると認識している場合、端末は、１ＣＣに対応した、誤り検出結果のパターンのマッピングを用いて、端末が受信したデータに対する応答信号を送信する。一方、基地局は、２ＣＣに対応した、誤り検出結果のパターンのマッピングを用いて、端末に送信したデータに対する端末からの応答信号の判定を行う。
【００３７】
１ＣＣの場合、ＬＴＥシステムとの後方互換性を担保するために、ＬＴＥシステムで用いられる１ＣＣ用の誤り検出結果のパターンのマッピングが用いられる（以降、「ＬＴＥ ｆａｌｌｂａｃｋ」と表記することもある）。すなわち、図６に示すように、（ａ）１ＣＣが１ＣＷ処理の場合、ＡＣＫを（−１，０）の位相点に、ＮＡＣＫを（１，０）の位相点に、ＢＰＳＫマッピングする（以降、「ＰＵＣＣＨ  フォーマット１ａ（Ｆｏｒｍａｔ１ａ）へのフォールバック（ｆａｌｌｂａｃｋ）」と表記することもある）。（ｂ）１ＣＣが２ＣＷ処理の場合、ＡＣＫ／ＡＣＫを（−１，０）の位相点に、ＡＣＫ／ＮＡＣＫを（０，１）の位相点に、ＮＡＣＫ／ＡＣＫを（０，−１）の位相点に、ＮＡＣＫ／ＮＡＣＫを（１，０）の位相点にＱＰＳＫマッピング（以降、「ＰＵＣＣＨ  フォーマット１ｂ（Ｆｏｒｍａｔ１ｂ）へのフォールバック（ｆａｌｌｂａｃｋ）」と表記することもある）する。
【００３８】
より具体的に、端末は、設定されているＣＣ数が１つであると認識していて、一方、基地局は、端末に設定されているＣＣ数が２つであると認識している場合において、基地局が２ＣＣで、かつ、ＰＣｅｌｌに１ＣＷ、ＳＣｅｌｌに１ＣＷのデータを端末に送信した場合を例に説明する。端末は、設定されているＣＣ数が１つであると認識しているので、ＰＣｅｌｌのみを受信する。ＰＣｅｌｌにおける下りデータの受信に成功した場合、ＰＣｅｌｌ内のＰＤＳＣＨを指示するＰＤＣＣＨが占有している、ＣＣＥの先頭ＣＣＥインデックスに１対１に関連付けられた（Implicit signallingされた）、上り単位バンド内のＰＵＣＣＨリソース（ＰＵＣＣＨリソース１）に、図６（ａ）のマッピングを用いて応答信号をマッピングする。すなわち、位相点（−１，０）を用いる。一方、基地局は、端末に設定されているＣＣ数が２つであると認識しているので、図５（ａ）のマッピングを用いて応答信号の判定を行う。すなわち、ＰＵＣＣＨリソース１の位相点（−１，０）より、ＰＣｅｌｌの１ＣＷがＡＣＫ、ＳＣｅｌｌの１ＣＷがＮＡＣＫまたはＤＴＸと判定することができる。同様に、ＰＣｅｌｌにおける下りデータの受信に失敗した場合は、位相点（１，０）にマッピングする必要がある。
【００３９】
端末と基地局の認識が、上記例と逆である場合も同様である。すなわち、端末は、設定されているＣＣ数が２つであると認識していて、一方、基地局は、端末に設定されているＣＣ数が１つであると認識している場合において、基地局が１ＣＣで、かつ、ＰＣｅｌｌに１ＣＷのデータを端末に送信した場合である。端末は、設定されているＣＣ数が２つであると認識しているので、ＰＣｅｌｌとＳＣｅｌｌを受信する。端末が、ＰＣｅｌｌにおける下りデータの受信に成功した場合、基地局は、ＰＣｅｌｌ内のＰＤＳＣＨを指示するＰＤＣＣＨが占有している、ＣＣＥの先頭ＣＣＥインデックスに１対１に関連付けられた（Implicit signallingされた）、上り単位バンド内のＰＵＣＣＨリソース（ＰＵＣＣＨリソース１）に、図６（ａ）のマッピングを用いて、位相点（−１，０）を受信することを期待する。したがって、端末は、ＣＣ数が２つであると認識していたとしても、ＰＣｅｌｌの１ＣＷがＡＣＫ、ＳＣｅｌｌがＤＴＸである場合、図５（ａ）のように、ＰＵＣＣＨリソース１の位相点（−１，０）にマッピングする必要がある。同様に、ＰＣｅｌｌにおける下りデータの受信に失敗した場合は、位相点（１，０）にマッピングする必要がある。
【００４０】
このように、基地局と端末との間において、端末に設定（configuration）されているＣＣ数の認識が異なる場合においても、ＰＣｅｌｌとＳＣｅｌｌの応答信号を正しく判定できる（以降、「ｆａｌｌｂａｃｋをサポートする」と表記することもある）必要がある。
【００４１】
なお、図５において、（ａ）は、ＬＴＥ ｆａｌｌｂａｃｋをサポートする。より具体的には、ＰＵＣＣＨ ｆｏｒｍａｔ１ａへのｆａｌｌｂａｃｋをサポートする。（ｂ）は、ＰＣｅｌｌが２ＣＷ処理、ＳＣｅｌｌが１ＣＷ処理のとき、Ａ／Ａ／ＤがＰＵＣＣＨリソース１の位相点（−１，０）にマッピングされていないため、ｆａｌｌｂａｃｋをサポートしない。より具体的には、ＰＵＣＣＨ ｆｏｒｍａｔ１ａへのｆａｌｌｂａｃｋをサポートしない。ＰＣｅｌｌが１ＣＷ処理、ＳＣｅｌｌが２ＣＷ処理のとき、Ａ／Ｄ／ＤがＰＵＣＣＨリソース１の位相点（−１，０）にマッピングされていない、Ａ／Ｎ／ＤがＰＵＣＣＨリソース１の（０，１）にマッピングされていない、さらに、Ｎ／Ａ／ＤがＰＵＣＣＨリソース１の（０，−１）にマッピングされていないため、ｆａｌｌｂａｃｋをサポートしない。より具体的には、ＰＵＣＣＨ ｆｏｒｍａｔ１ｂへのｆａｌｌｂａｃｋをサポートしない。（ｃ）は、Ａ／Ａ／Ｄ／ＤがＰＵＣＣＨリソース１の位相点（−１，０）にマッピングされていない、Ａ／Ｎ／Ｄ／ＤがＰＵＣＣＨリソース１の位相点（０，１）にマッピングされていない、さらに、Ｎ／Ａ／Ｄ／ＤがＰＵＣＣＨリソース１の位相点(0,-1)にマッピングされていないため、ｆａｌｌｂａｃｋをサポートしない。より具体的には、ＰＵＣＣＨ ｆｏｒｍａｔ１ｂへのｆａｌｌｂａｃｋをサポートしない。
【００４２】
非特許文献８で開示されているマッピング方法（「送信ルールテーブル」、「マッピングテーブル」とも呼ばれる）（図７、図８）は、例えば図８の「４ＡＣＫ／ＮＡＣＫ Ｂｉｔｓ」の場合、２つのＡＣＫ／ＮＡＣＫビット（非特許文献９のｂ０とｂ１）は、常に、判定方法１で判定できるのに対し、残りの２つのＡＣＫ／ＮＡＣＫビット（非特許文献９のｂ２とｂ３）は、常に、判定方法２で判定する。上記のマッピングを用いた評価結果が非特許文献９に開示されているが、ｂ２とｂ３のＮＡＫ−ｔｏ−ＡＣＫ特性が、ｂ０とｂ１に比べて悪いことがわかる。
【００４３】
非特許文献１０で開示されているマッピング方法（図９）は、判定方法１で判定可能なＰＵＣＣＨリソースの個数が、ビット間で平滑化されている。すなわち、ＰＵＣＣＨ１ではｂ３が、ＰＵＣＣＨ２ではｂ０とｂ１が、ＰＵＣＣＨ３ではｂ１、ｂ２が、ＰＵＣＣＨ４ではｂ３が、判定方法１で判定可能であり、ビット毎に、判定方法１で判定可能なＰＵＣＣＨリソースの個数が、ｂ０で１個、ｂ１で２個、ｂ２で１個、ｂ３で２個である。さらに、ＰＵＣＣＨ１とｂ０、ＰＵＣＣＨ２とｂ１、ＰＵＣＣＨ３とｂ２、ＰＵＣＣＨ４とｂ３の関連付けに関する記載は無いが、仮にこれらが関連付けられていると仮定すると、任意のＡＣＫ／ＮＡＣＫビットに対するImplicit signallingをサポートしている。しかし、このマッピングでは、２ＣＣにおけるｆａｌｌｂａｃｋをサポートできない。
【００４４】
非特許文献１１で開示されているマッピング方法（図１０、図１１）は、３ビットと４ビットのマッピングテーブルにおいて、判定方法１で判定可能なＰＵＣＣＨリソースの個数が、ビット間で平滑化されている。すなわち、３ビットのマッピングでは、PUCCH resource 1ではｂ２が、PUCCH resource 2ではｂ２が、PUCCH resource 3ではｂ０とｂ１が、判定方法１で判定可能であり、ビット毎に、判定方法１で判定可能なＰＵＣＣＨリソースの個数が、ｂ０とｂ１で１個、ｂ２で２個である。４ビットのマッピングでは、PUCCH resource 1ではｂ２とｂ３が、PUCCH resource 2ではｂ１とｂ２が、PUCCH resource 3ではｂ０が、PUCCH resource 4ではｂ０が、判定方法１で判定可能であり、ビット毎に、判定方法１で判定可能なＰＵＣＣＨリソースの個数が、ｂ０とｂ２で２個、ｂ１とｂ３で１個である。さらに、３ビットのマッピングテーブルにおいては、ＰＵＣＣＨ  ｆｏｒｍａｔ１ａとＰＵＣＣＨ  ｆｏｒｍａｔ１ｂへのｆａｌｌｂａｃｋをサポートし、４ビットのマッピングテーブルにおいては、ＰＵＣＣＨ  ｆｏｒｍａｔ１ｂへのｆａｌｌｂａｃｋをサポートしている。
【先行技術文献】
【非特許文献】
【００４５】
【非特許文献１】3GPP TS 36.211 V9.1.0, “Physical Channels and Modulation (Release 9),” May 2010
【非特許文献２】3GPP TS 36.212 V9.2.0, “Multiplexing and channel coding (Release 9),” June 2010
【非特許文献３】3GPP TS 36.213 V9.2.0, “Physical layer procedures (Release 9),” June 2010
【非特許文献４】Seigo Nakao, Tomofumi Takata, Daichi Imamura, and Katsuhiko Hiramatsu, “Performance enhancement of E-UTRA uplink control channel in fast fading environments,”Proceeding of IEEE VTC 2009 spring, April 2009
【非特許文献５】Ericsson and ST-Ericsson, “A/N transmission in the uplink for carrier aggregation,” R1-100909, 3GPP TSG-RAN WG1 #60, Feb. 2010
【非特許文献６】ZTE, 3GPP RAN1 meeting #57, R1-091702, “Uplink Control Channel Design for LTE-Advanced,” May 2009
【非特許文献７】Panasonic, 3GPP RAN1 meeting #57, R1-091744, “UL ACK/NACK transmission on PUCCH for Carrier aggregation,” May 2009
【非特許文献８】CATT, LG Electronics, Qualcomm Incorporated, ZTE, 3GPP RAN1 meeting, R1-104140, “ACK/NACK Multiplexing Simulation Assumptions in Rel-10,” June 2010
【非特許文献９】CATT, 3GPP RAN1 meeting, R1-104314, “Equalization of ACK/NACK bit performance in LTE-A,” Aug. 2010
【非特許文献１０】Panasonic, 3GPP RAN1 meeting #61, R1-102856, “Support of UL ACK/NACK channel selection for carrier aggregation,” May 2010
【非特許文献１１】Panasonic, 3GPP RAN1 meeting #62bis, R1-105476, “Mapping Tables for Format 1b with Channel Selection,” October 2010
【発明の概要】
【発明が解決しようとする課題】
【００４６】
端末に設定（configuration）されている（semi-staticにconfigureされている）ＣＣ数が２個以上の場合、実際に伝送されたＣＷ数ではなく、予め端末に設定されているＣＷ数、より厳密には、送信モード（transmission mode）に基づいて、端末が基地局に通知するＡＣＫ／ＮＡＣＫビット数を決定する。すなわち、設定されたＣＷ数に基づいて、マッピングテーブルを選択する。例えば、２ＣＣで１ＣＣ毎に２ＣＷが端末に設定されている場合、実際に伝送された（dynamicな）ＣＷ数が１ＣＷであっても、端末が基地局に通知するＡＣＫ／ＮＡＣＫビット数は４ビットであり、４ビットのマッピングテーブルを用いる。一方で、端末に設定されているＣＣ数が１個の場合、実際に伝送されたＣＷ数に基づいて、端末が基地局に通知するＡＣＫ／ＮＡＣＫビット数を決定する。すなわち、実際に伝送されたＣＷ数に基づいて、マッピングテーブルを選択する。
【００４７】
実際に伝送されるＣＷ数に基づいて、端末が基地局に通知するＡＣＫ／ＮＡＣＫビット数を決定する方法は、ＣＣ数が１個の場合は、常にＰＵＣＣＨリソースが１個だけであるため、応答信号をマッピングするＰＵＣＣＨリソースが変化することはないが、ＣＣ数が２個以上の場合は、その都度、応答信号をマッピングするＰＵＣＣＨリソースが変わってしまい、応答信号の通知方法が複雑化してしまう。そのため、ＣＣ数が２個以上の場合は、実際に伝送されたＣＷ数ではなく、予め端末に設定されているＣＷ数、より厳密には、送信モード（transmission mode）に基づいて、端末が基地局に通知するＡＣＫ／ＮＡＣＫビット数を決定する。
【００４８】
端末に設定されているＣＣ数が２個以上の場合、端末に設定されているＣＷ数と、実際に伝送されたＣＷ数とが異なる場合、より具体的には、端末に設定されているＣＷ数よりも、実際に伝送されたＣＷ数の方が少ない場合（以降、「ランクアダプテーション（Rank Adaptation）によりランク落ちが発生した場合」と表記することがある）、基地局は、ランク落ちしていることを把握しているので、端末は、ランク落ちが発生して非伝送になった分のＣＷに対応する誤り検出結果を、常にＡＣＫ、常にＮＡＣＫ、または常にＤＴＸに固定して応答信号を送信し、基地局は、ランク落ちが発生して非伝送になった分のＣＷに対応する誤り検出結果を、端末と同様に、常にＡＣＫまたは常にＮＡＣＫまたは常にＤＴＸに固定して応答信号を検出する方法が考えられる。ランク落ちが発生して非伝送になった分のＣＷに対応する誤り検出結果を、常にＡＣＫ、常にＮＡＣＫ、または常にＤＴＸに固定することで、基地局は、検出すべき応答信号の組合せ数を減らすことができる。例えば、２ＣＣで１ＣＣ毎に２ＣＷが端末に設定されているとき、かつ、一方のＣＣにおいて、ランク落ちが発生して１ＣＷ伝送になった場合、端末が送信する応答信号の組合せ数は、ＡＣＫとＮＡＣＫとＤＴＸの組合せで考えると、３＾４＝８１通りから、３＾３＝２７通りに削減できる。これにより、例えば４ビットから３ビットにランク落ちした場合の応答信号の受信性能は、少なくとも４ビットの場合と同じＰＵＣＣＨリソース数でマッピングする場合は、４ビットのままランク落ちしなかった場合の応答信号の受信性能に比べて改善することができる。
【００４９】
しかしながら、２ＣＣで１ＣＣ毎に２ＣＷが端末に設定されていて、一方のＣＣにおいてランク落ちが発生して、有効なＡＣＫ／ＮＡＣＫビット数が３ビットとなる場合と、２ＣＣで一方のＣＣに１ＣＷが、他方のＣＣに２ＣＷが端末に設定されていて、ＡＣＫ／ＮＡＣＫビット数が３ビットである場合とを比べると、ＡＣＫ／ＮＡＣＫビット数はともに３ビットではあるが、前者の方が、応答信号の受信性能が劣化してしまう（図１３）。これは、端末に設定されているＣＣ数が２個以上の場合、設定されたＣＷ数に基づいて、マッピングテーブルが選択できることに起因する。すなわち、同じ３ビットの誤り検出結果を通知する場合であっても、４ビットに最適化されたマッピングテーブルを用いた応答信号の受信性能と、３ビットに最適化されたマッピングテーブルを用いた応答信号の受信性能が異なることに起因する。これにより、例えば４ビットから３ビットにランク落ちした場合、４ビットに最適化されたマッピングテーブルを用いなければならず、３ビットに最適化されたマッピングテーブルを用いる場合に比べて、応答信号の受信性能が劣化してしまう。
【００５０】
図１２に、図１１の４ビットのマッピングテーブルにおいて、ランク落ちにより、有効なＡＣＫ／ＮＡＣＫビット数が３または２になった場合の、非伝送のＣＷに対応する誤り検出結果を、常にＮＡＣＫまたはＤＴＸとしたときのマッピング例を示す。ただし、図１２（ａ）は、ＰＣｅｌｌがランク落ちした例である。有効なＡＣＫ／ＮＡＣＫビット数は３である。図１２（ｂ）は、ＳＣｅｌｌがランク落ちした例である。有効なＡＣＫ／ＮＡＣＫビット数は３である。図１２（ｃ）は、ＰＣｅｌｌとＳＣｅｌｌがそれぞれランク落ちした例である。有効なＡＣＫ／ＮＡＣＫビット数は２である。「選択候補」欄に「○」が付された誤り検出結果の組合せは、端末が基地局に通知しうる組合せである。同様に、基地局は、「選択候補」に「○」が付された誤り検出結果の組合せに対応する応答信号のみを検出すればよい。
【００５１】
図１２では、非伝送のＣＷに対応する誤り検出結果を、常にＮＡＣＫまたはＤＴＸとした。一方で、本発明では、ランク落ちした非伝送のＣＷに対応する誤り検出結果を除く、誤り検出結果の各組合せに対して、ランク落ちが発生して非伝送になった分のＣＷに対する誤り検出結果をＡＣＫとするか、ＮＡＣＫとするか、またはＤＴＸとするかを選択する選択基準と選択方法を開示する。すなわち、例えば、２ＣＣで１ＣＣ毎に２ＣＷが端末に設定されていて、ＳＣｅｌｌがランク落ちした場合、残りのＣＷが全てＡＣＫである場合の応答信号は、（Ａ，Ａ，Ａ，Ａ）、（Ａ，Ａ，Ａ，Ｎ）、または、（Ａ，Ａ，Ａ，Ｄ）のいずれでもよい。また、ＰＣｅｌｌが全てＡＣＫ、ＳＣｅｌｌの残りのＣＷがＮＡＣＫである場合の応答信号は、（Ａ，Ａ，Ｎ，Ａ）、（Ａ，Ａ，Ｎ，Ｎ）、または、（Ａ，Ａ，Ｎ，Ｄ）のいずれでもよい。そして、ランク落ちした非伝送のＣＷに対する誤り検出結果を除く、誤り検出結果の組合せ（すなわち、上記の例では先頭から３つ分のＡ／Ｎ結果である（Ａ，Ａ，Ａ）や（Ａ，Ａ，Ｎ））毎に、ランク落ちが発生して非伝送になった分のＣＷに対する誤り検出結果をＡＣＫとするか、ＮＡＣＫとするか、またはＤＴＸとするかを選択するための、選択基準と選択方法を開示する。
【００５２】
本発明の目的は、上り単位バンド及び上り単位バンドと対応づけられた複数の下り単位バンドを使用した通信においてＡＲＱが適用される場合、かつ、端末に設定されたＣＷ数よりも実際に伝送されたＣＷ数が少ない場合において、非伝送になった分のＣＷに対応する誤り検出結果を除く、誤り検出結果の各組合せに対して、それぞれ、選択基準に基づいた、非伝送になった分のＣＷに対する誤り検出結果の選択、すなわちＡＣＫ、ＮＡＣＫまたはＤＴＸの選択を行うことにより、応答信号の特性を改善することができる端末装置及び再送制御方法を提供することである。
【課題を解決するための手段】
【００５３】
本発明の端末装置は、少なくとも２つの下り単位バンドと少なくとも１つの上り単位バンドとを有する単位バンドグループを用いて基地局と通信し、少なくとも１つの下り単位バンドに割り当てられたデータが、２コードワード伝送されるよう設定された端末装置であって、前記単位バンドグループ内の少なくとも１つの下り単位バンドの下り制御チャネルで送信された下り割当制御情報を受信する制御情報受信手段と、前記下り割当制御情報が示す下りデータチャネルで送信された下りデータを受信する下りデータ受信手段と、前記下りデータの受信誤りを検出する誤り検出手段と、前記誤り検出手段で得られた誤り検出結果と、応答信号の送信ルールテーブルとに基づいて、応答信号を前記上り単位バンドの上り制御チャネルで送信する第１応答制御手段と、前記上り制御チャネルのうち、少なくとも１つの上り制御チャネルは、下り受信データを指示する下り割当制御情報の基本単位に１対１に関連付けられた上り制御チャネルを選択する第２応答制御手段と、を具備し、前記送信ルールテーブルでは、設定されるコードワード数よりも、伝送されるコードワード数の方が少ない場合において、非伝送のコードワードに対応する誤り検出結果を除く、誤り検出結果の各組合せに対してそれぞれ、選択基準に基づいて、非伝送になった分のコードワードに対する誤り検出結果がＡＣＫ、ＮＡＣＫまたはＤＴＸの中から選択される。
【００５４】
本発明の再送制御方法は、少なくとも２つの下り単位バンドと少なくとも１つの上り単位バンドとを有する単位バンドグループを用い、少なくとも１つの下り単位バンドに割り当てられたデータが、２コードワード伝送されるよう設定され、前記単位バンドグループ内の少なくとも１つの下り単位バンドの下り制御チャネルで送信された下り割当制御情報を受信する制御情報受信ステップと、前記下り割当制御情報が示す下りデータチャネルで送信された下りデータを受信する下りデータ受信ステップと、前記下りデータの受信誤りを検出する誤り検出ステップと、前記誤り検出ステップで得られた誤り検出結果と、応答信号の送信ルールテーブルとに基づいて、応答信号を前記上り単位バンドの上り制御チャネルで送信する第１応答制御ステップと、前記上り制御チャネルのうち、少なくとも１つの上り制御チャネルは、下り受信データを指示する下り割当制御情報の基本単位に１対１に関連付けられた上り制御チャネルを選択する第２応答制御ステップと、を具備し、前記送信ルールテーブルでは、設定されるコードワード数よりも、伝送されるコードワード数の方が少ない場合において、非伝送のコードワードに対応する誤り検出結果を除く、誤り検出結果の各組合せに対してそれぞれ、選択基準に基づいて、非伝送になった分のコードワードに対する誤り検出結果がＡＣＫ、ＮＡＣＫまたはＤＴＸの中から選択される。
【発明の効果】
【００５５】
本発明によれば、上り単位バンド及び上り単位バンドと対応づけられた複数の下り単位バンドを使用した通信においてＡＲＱが適用される場合、かつ、端末に設定されたＣＷ数よりも実際に伝送されたＣＷ数が少ない場合において、非伝送になった分のＣＷに対応する誤り検出結果を除く、誤り検出結果の各組合せに対して、それぞれ、選択基準に基づいた、非伝送になった分のＣＷに対する誤り検出結果の選択、すなわちＡＣＫ、ＮＡＣＫまたはＤＴＸの選択を行うことにより、応答信号の特性を改善することができる。
【図面の簡単な説明】
【００５６】
【図１】応答信号及び参照信号の拡散方法を示す図
【図２】ＰＵＳＣＨリソースにおける応答信号及び上り回線データのＴＤＭの適用に関わる動作を示す図
【図３】個別の端末に適用される非対称のCarrier aggregation及びその制御シーケンスの説明に供する図
【図４】個別の端末に適用される非対称のCarrier aggregation及びその制御シーケンスの説明に供する図
【図５】ＡＣＫ／ＮＡＣＫマッピング例の説明に供する図１
【図６】ＡＣＫ／ＮＡＣＫマッピング例の説明に供する図２
【図７】非特許文献８が開示するＡＣＫ／ＮＡＣＫのマッピングテーブル１
【図８】非特許文献８が開示するＡＣＫ／ＮＡＣＫのマッピングテーブル２
【図９】非特許文献１０が開示するＡＣＫ／ＮＡＣＫのマッピング
【図１０】非特許文献１１が開示するＡＣＫ／ＮＡＣＫのマッピング
【図１１】非特許文献１１が開示するＡＣＫ／ＮＡＣＫのマッピングテーブル
【図１２】ランク落ちした場合の図１１のＡＣＫ／ＮＡＣＫのマッピングテーブル
【図１３】ランク落ち有り及び無し時の受信性能の例
【図１４】本発明の実施の形態に係る基地局の構成を示すブロック図
【図１５】本発明の実施の形態に係る端末の構成を示すブロック図
【図１６】本発明の実施の形態に係るＰＵＣＣＨリソースの制御例１
【図１７】本発明の実施の形態に係るＰＵＣＣＨリソースの制御例２
【図１８】本発明の実施の形態に係るマッピングテーブル１
【図１９】本発明の実施の形態に係る選択基準１適用時のマッピングテーブル１
【図２０】本発明の実施の形態に係る選択基準２適用時のマッピングテーブル１
【図２１】本発明の実施の形態に係る選択基準３適用時のマッピングテーブル１
【図２２】本発明の実施の形態に係る選択基準４適用時のマッピングテーブル１
【図２３】本発明の実施の形態に係る選択基準５適用時のマッピングテーブル１
【図２４】本発明の実施の形態に係る選択基準１，３，４適用時のマッピングテーブル１
【図２５】本発明の実施の形態に係る選択基準１，３，５適用時のマッピングテーブル１
【図２６】本発明の実施の形態に係る選択基準２，３適用時のマッピングテーブル１
【図２７】本発明の実施の形態に係るＣＷ０側のＣＷを非伝送のＣＷとした場合の、選択基準３適用時のマッピングテーブル１
【図２８】本発明の実施の形態に係るマッピングテーブル２
【図２９】本発明の実施の形態に係る選択基準３適用時のマッピングテーブル２
【図３０】本発明の実施の形態に係るマッピングテーブル３
【図３１】本発明の実施の形態に係る選択基準１適用時のマッピングテーブル３
【発明を実施するための形態】
【００５７】
以下、本発明の実施の形態について図面を参照して詳細に説明する。なお、実施の形態において、同一の構成要素には同一の符号を付し、その説明は重複するので省略する。
【００５８】
［基地局の構成］
図１４は、本実施の形態に係る基地局１００の構成を示すブロック図である。図１４において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ（Inverse Fast Fourier Transform）部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、Ａ／Ｎ判定部１１８と、束Ａ／Ｎ逆拡散部１１９と、ＩＤＦＴ（Inverse Discrete Fourier Transform）部１２０と、束Ａ／Ｎ判定部１２１と、再送制御信号生成部１２２とを有する。
【００５９】
制御部１０１は、リソース割当対象端末（以下「宛先端末」又は単に「端末」ともいう）２００に対して、制御情報を送信するための下りリソース（つまり、下り制御情報割当リソース）、及び、下り回線データを送信するための下りリソース（つまり、下りデータ割当リソース）を割り当てる（Assignする）。このリソース割当は、リソース割当対象端末２００に設定される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００６０】
下り制御情報割当リソースは、上記したＬ１／Ｌ２ＣＣＨと同等である。すなわち、下り制御情報割当リソースは、１つ又は複数のＣＣＥ（又は、Ｒ−ＣＣＥ。以下、ＣＣＥとＲ−ＣＣＥとを区別せずに、単にＣＣＥと呼ぶことがある）から構成される。
【００６１】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００６２】
そして、制御部１０１は、制御情報生成部１０２に対して、下りデータ割当リソースに関する情報を出力する。また、制御部１０１は、符号化部１０３に対して、符号化率に関する情報を出力する。また、制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下り回線データと当該下り回線データに対する下り制御情報を同一の下り単位バンドにマッピングするよう制御する。
【００６３】
制御情報生成部１０２は、下りデータ割当リソースに関する情報を含む制御情報を生成して符号化部１０３へ出力する。この制御情報は下り単位バンド毎に生成される。また、リソース割当対象端末２００が複数有る場合に、リソース割当対象端末２００同士を区別するために、制御情報には、宛先端末２００の端末ＩＤが含まれる。例えば、宛先端末２００の端末ＩＤでマスキングされたＣＲＣビットが制御情報に含まれる。この制御情報は、「下り割当制御情報（Control information carrying downlink assignment）」又は「Downlink Control Information（ＤＣＩ）」と呼ばれることがある。
【００６４】
符号化部１０３は、制御部１０１から受け取る符号化率に従って、制御情報を符号化し、符号化された制御情報を変調部１０４へ出力する。
【００６５】
変調部１０４は、符号化後の制御情報を変調し、得られた変調信号をマッピング部１０８へ出力する。
【００６６】
符号化部１０５は、宛先端末２００毎の送信データ（つまり、下り回線データ）及び制御部１０１からの符号化率情報を入力として送信データを符号化し、データ送信制御部１０６に出力する。ただし、宛先端末２００に対して複数の下り単位バンドが割り当てられる場合には、各下り単位バンドで送信される送信データをそれぞれ符号化し、符号化後の送信データをデータ送信制御部１０６へ出力する。
【００６７】
データ送信制御部１０６は、初回送信時には、符号化後の送信データを保持すると共に変調部１０７へ出力する。符号化後の送信データは、宛先端末２００毎に保持される。また、１つの宛先端末２００への送信データは、送信される下り単位バンド毎に保持される。これにより、宛先端末２００に送信されるデータ全体の再送制御だけでなく、下り単位バンド毎の再送制御も可能になる。
【００６８】
また、データ送信制御部１０６は、再送制御信号生成部１２２から或る下り単位バンドで送信した下り回線データに対するＮＡＣＫ又はＤＴＸを受け取ると、この下り単位バンドに対応する保持データを変調部１０７へ出力する。データ送信制御部１０６は、再送制御信号生成部１２２から或る下り単位バンドで送信した下り回線データに対するＡＣＫを受け取ると、この下り単位バンドに対応する保持データを削除する。
【００６９】
変調部１０７は、データ送信制御部１０６から受け取る符号化後の送信データを変調し、変調信号をマッピング部１０８へ出力する。
【００７０】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００７１】
また、マッピング部１０８は、制御部１０１から受け取る下りデータ割当リソース（すなわち、制御情報に含まれる情報）の示すリソース（ＰＤＳＣＨ（下りデータチャネル））に、変調部１０７から受け取る送信データの変調信号をマッピングし、ＩＦＦＴ部１０９へ出力する。
【００７２】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ（Digital to Analog）変換、増幅及びアップコンバート等の送信処理が施され、アンテナを介して端末２００へ送信される。
【００７３】
無線受信部１１２は、端末２００から送信された上り応答信号又は参照信号を、アンテナを介して受信し、上り応答信号又は参照信号に対しダウンコンバート、Ａ／Ｄ変換等の受信処理を行う。
【００７４】
ＣＰ除去部１１３は、受信処理後の上り応答信号又は参照信号に付加されているＣＰを除去する。
【００７５】
ＰＵＣＣＨ抽出部１１４は、受信信号に含まれるＰＵＣＣＨ信号から、予め端末２００に通知してある束ＡＣＫ／ＮＡＣＫリソースに対応するＰＵＣＣＨ領域の信号を抽出する。ここで、束ＡＣＫ／ＮＡＣＫリソースとは、前述したように、束ＡＣＫ／ＮＡＣＫ信号が送信されるべきリソースであり、ＤＦＴ−Ｓ−ＯＦＤＭフォーマット構成を採るリソースである。具体的には、ＰＵＣＣＨ抽出部１１４は、束ＡＣＫ／ＮＡＣＫリソースに対応するＰＵＣＣＨ領域のデータ部分（すなわち、束ＡＣＫ／ＮＡＣＫ信号が配置されているＳＣ−ＦＤＭＡシンボル）と参照信号部分（すなわち、束ＡＣＫ／ＮＡＣＫ信号を復調するための参照信号が配置されているＳＣ−ＦＤＭＡシンボル）を抽出する。ＰＵＣＣＨ抽出部１１４は、抽出したデータ部分を束Ａ／Ｎ逆拡散部１１９に出力し、参照信号部分を逆拡散部１１５−１に出力する。
【００７６】
また、ＰＵＣＣＨ抽出部１１４は、受信信号に含まれるＰＵＣＣＨ信号から、下り割当制御情報（ＤＣＩ）の送信に用いられたＰＤＣＣＨが占有していたＣＣＥに対応付けられているＡ／Ｎリソース及び予め端末２００に通知してある複数のＡ／Ｎリソースに対応する複数のＰＵＣＣＨ領域を抽出する。ここで、Ａ／Ｎリソースとは、Ａ／Ｎが送信されるべきリソースである。具体的には、ＰＵＣＣＨ抽出部１１４は、Ａ／Ｎリソースに対応するＰＵＣＣＨ領域のデータ部分（上り制御信号が配置されているＳＣ−ＦＤＭＡシンボル）と参照信号部分（上り制御信号を復調するための参照信号が配置されているＳＣ−ＦＤＭＡシンボル）を抽出する。そして、ＰＵＣＣＨ抽出部１１４は、抽出したデータ部分及び参照信号部分の両方を、逆拡散部１１５−２に出力する。このようにして、ＣＣＥに関連付けられたＰＵＣＣＨリソース及び端末２００に対して通知した特定のＰＵＣＣＨリソースの中から選択されたリソースで応答信号が受信される。
【００７７】
系列制御部１１６は、端末２００から通知されるＡ／Ｎ、Ａ／Ｎに対する参照信号、及び、束ＡＣＫ／ＮＡＣＫ信号に対する参照信号のそれぞれの拡散に用いられる可能性があるＢａｓｅ ｓｅｑｕｅｎｃｅ（すなわち、系列長１２のＺＡＣ系列）を生成する。また、系列制御部１１６は、端末２００が用いる可能性のあるＰＵＣＣＨリソースにおいて、参照信号が配置され得るリソース（以下「参照信号リソース」という）に対応する相関窓をそれぞれ特定する。そして、系列制御部１１６は、束ＡＣＫ／ＮＡＣＫリソースにおいて参照信号が配置され得る参照信号リソースに対応する相関窓を示す情報及びＢａｓｅ ｓｅｑｕｅｎｃｅを相関処理部１１７−１に出力する。系列制御部１１６は、参照信号リソースに対応する相関窓を示す情報及びＢａｓｅ ｓｅｑｕｅｎｃｅを、相関処理部１１７−１に出力する。また、系列制御部１１６は、Ａ／Ｎ及びＡ／Ｎに対する参照信号が配置されるＡ／Ｎリソースに対応する相関窓を示す情報及びＢａｓｅ ｓｅｑｕｅｎｃｅを相関処理部１１７−２に出力する。
【００７８】
逆拡散部１１５−１及び相関処理部１１７−１は、束ＡＣＫ／ＮＡＣＫリソースに対応するＰＵＣＣＨ領域から抽出された参照信号の処理を行う。
【００７９】
具体的には、逆拡散部１１５−１は、端末２００が束ＡＣＫ／ＮＡＣＫリソースの参照信号において２次拡散に用いるべきウォルシュ系列で参照信号部分を逆拡散し、逆拡散後の信号を相関処理部１１７−１に出力する。
【００８０】
相関処理部１１７−１は、参照信号リソースに対応する相関窓を示す情報及びＢａｓｅ ｓｅｑｕｅｎｃｅを用いて、逆拡散部１１５−１から入力される信号と、端末２００において１次拡散に用いられる可能性のあるＢａｓｅ ｓｅｑｕｅｎｃｅとの相関値を求める。そして、相関処理部１１７−１は、相関値を束Ａ／Ｎ判定部１２１に出力する。
【００８１】
逆拡散部１１５−２及び相関処理部１１７−２は、複数のＡ／Ｎリソースに対応する複数のＰＵＣＣＨ領域から抽出された参照信号及びＡ／Ｎの処理を行う。
【００８２】
具体的には、逆拡散部１１５−２は、端末２００が各Ａ／Ｎリソースのデータ部分及び参照信号部分において２次拡散に用いるべきウォルシュ系列及びＤＦＴ系列でデータ部分及び参照信号部分を逆拡散し、逆拡散後の信号を相関処理部１１７−２に出力する。
【００８３】
相関処理部１１７−２は、各Ａ／Ｎリソースに対応する相関窓を示す情報及びＢａｓｅ ｓｅｑｕｅｎｃｅを用いて、逆拡散部１１５−２から入力される信号と、端末２００において１次拡散に用いられる可能性のあるＢａｓｅ ｓｅｑｕｅｎｃｅとの相関値をそれぞれ求める。そして、相関処理部１１７−２は、それぞれの相関値をＡ／Ｎ判定部１１８に出力する。
【００８４】
Ａ／Ｎ判定部１１８は、相関処理部１１７−２から入力される複数の相関値に基づいて、端末２００からどのＡ／Ｎリソースを用いて信号が送信されているか、若しくは、いずれのＡ／Ｎリソースも用いられていないかを判定する。そして、Ａ／Ｎ判定部１１８は、端末２００からいずれかのＡ／Ｎリソースを用いて信号が送信されていると判定した場合、参照信号に対応する成分及びＡ／Ｎに対応する成分を用いて同期検波を行い、同期検波の結果を再送制御信号生成部１２２に出力する。一方、Ａ／Ｎ判定部１１８は、端末２００がいずれのＡ／Ｎリソースも用いていないと判定した場合には、Ａ／Ｎリソースが用いられていない旨を再送制御信号生成部１２２に出力する。なお、Ａ／Ｎ判定部１１８における、Ａ／Ｎ判定に用いるＡ／Ｎの位相点のマッピングの詳細については、後述する。
【００８５】
束Ａ／Ｎ逆拡散部１１９は、ＰＵＣＣＨ抽出部１１４から入力される束ＡＣＫ／ＮＡＣＫリソースのデータ部分に対応する束ＡＣＫ／ＮＡＣＫ信号をＤＦＴ系列によって逆拡散し、その信号をＩＤＦＴ部１２０に出力する。
【００８６】
ＩＤＦＴ部１２０は、束Ａ／Ｎ逆拡散部１１９から入力される周波数領域上の束ＡＣＫ／ＮＡＣＫ信号を、ＩＤＦＴ処理によって時間領域上の信号に変換し、時間領域上の束ＡＣＫ／ＮＡＣＫ信号を束Ａ／Ｎ判定部１２１に出力する。
【００８７】
束Ａ／Ｎ判定部１２１は、ＩＤＦＴ部１２０から入力される束ＡＣＫ／ＮＡＣＫリソースのデータ部分に対応する束ＡＣＫ／ＮＡＣＫ信号を、相関処理部１１７−１から入力される束ＡＣＫ／ＮＡＣＫ信号の参照信号情報を用いて復調する。また、束Ａ／Ｎ判定部１２１は、復調後の束ＡＣＫ／ＮＡＣＫ信号を復号し、復号結果を束Ａ／Ｎ情報として再送制御信号生成部１２２に出力する。ただし、束Ａ／Ｎ判定部１２１は、相関処理部１１７−１から入力される相関値が閾値よりも小さく、端末２００から束Ａ／Ｎリソースを用いて信号が送信されていないと判定した場合には、その旨を再送制御信号生成部１２２に出力する。
【００８８】
再送制御信号生成部１２２は、束Ａ／Ｎ判定部１２１から入力される情報、及び、Ａ／Ｎ判定部１１８から入力される情報に基づいて、下り単位バンドで送信したデータ（下り回線データ）を再送すべきか否かを判定し、判定結果に基づいて再送制御信号を生成する。具体的には、再送制御信号生成部１２２は、或る下り単位バンドで送信した下り回線データに対して再送する必要があると判断した場合には、当該下り回線データの再送命令を示す再送制御信号を生成して、再送制御信号をデータ送信制御部１０６へ出力する。また、再送制御信号生成部１２２は、或る下り単位バンドで送信した下り回線データに対して再送する必要が無いと判断した場合には、当該下り単位バンドで送信した下り回線データを再送しないことを示す再送制御信号を生成して、再送制御信号をデータ送信制御部１０６へ出力する。
【００８９】
［端末の構成］
図１５は、本実施の形態に係る端末２００の構成を示すブロック図である。図１５において、端末２００は、無線受信部２０１と、ＣＰ除去部２０２と、ＦＦＴ（Fast Fourier Transform）部２０３と、抽出部２０４と、復調部２０５と、復号部２０６と、判定部２０７と、制御部２０８と、復調部２０９と、復号部２１０と、ＣＲＣ部２１１と、応答信号生成部２１２と、符号化・変調部２１３と、１次拡散部２１４−１，２１４−２と、２次拡散部２１５−１，２１５−２と、ＤＦＴ部２１６と、拡散部２１７と、ＩＦＦＴ部２１８−１，２１８−２，２１８−３と、ＣＰ付加部２１９−１，２１９−２，２１９−３と、時間多重部２２０と、選択部２２１と、無線送信部２２２とを有する。
【００９０】
無線受信部２０１は、基地局１００から送信されたＯＦＤＭ信号を、アンテナを介して受信し、受信ＯＦＤＭ信号に対しダウンコンバート、Ａ／Ｄ変換等の受信処理を行う。なお、受信ＯＦＤＭ信号には、ＰＤＳＣＨ内のリソースに割り当てられたＰＤＳＣＨ信号（下り回線データ）又はＰＤＣＣＨ内のリソースに割り当てられたＰＤＣＣＨ信号が含まれる。
【００９１】
ＣＰ除去部２０２は、受信処理後のＯＦＤＭ信号に付加されているＣＰを除去する。
【００９２】
ＦＦＴ部２０３は、受信ＯＦＤＭ信号をＦＦＴして周波数領域信号に変換し、得られた受信信号を抽出部２０４へ出力する。
【００９３】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥ（又はＲ−ＣＣＥ）の数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００９４】
また、抽出部２０４は、後述する判定部２０７から受け取る自装置宛の下りデータ割当リソースに関する情報に基づいて、受信信号から下り回線データ（下りデータチャネル信号（ＰＤＳＣＨ信号））を抽出し、復調部２０９へ出力する。このように、抽出部２０４は、ＰＤＣＣＨにマッピングされた下り割当制御情報（ＤＣＩ）を受信し、ＰＤＳＣＨで下り回線データを受信する。
【００９５】
復調部２０５は、抽出部２０４から受け取る下り制御チャネル信号を復調し、得られた復調結果を復号部２０６に出力する。
【００９６】
復号部２０６は、入力される符号化率情報に従って、復調部２０５から受け取る復調結果を復号して、得られた復号結果を判定部２０７に出力する。
【００９７】
判定部２０７は、復号部２０６から受け取る復号結果に含まれる制御情報が自装置宛の制御情報であるか否かをブラインド判定（モニタ）する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。
【００９８】
また、判定部２０７は、自装置宛の制御情報（すなわち、下り割当制御情報）を検出した場合、ＡＣＫ／ＮＡＣＫ信号が発生（存在）する旨を制御部２０８に通知する。また、判定部２０７は、自装置宛の制御情報をＰＤＣＣＨ信号から検出した場合、当該ＰＤＣＣＨが占有していたＣＣＥに関する情報を制御部２０８に出力する。
【００９９】
制御部２０８は、判定部２０７から入力されるＣＣＥに関する情報から、当該ＣＣＥに関連付けられたＡ／Ｎリソースを特定する。そして、制御部２０８は、ＣＣＥに関連付けられたＡ／Ｎリソース、又は、予め基地局１００から通知されているＡ／Ｎリソースに対応するＢａｓｅ ｓｅｑｕｅｎｃｅ及び循環シフト量を、１次拡散部２１４−１へ出力し、当該Ａ／Ｎリソースに対応するウォルシュ系列及びＤＦＴ系列を２次拡散部２１５−１へ出力する。また、制御部２０８は、Ａ／Ｎリソースの周波数リソース情報をＩＦＦＴ部２１８−１に出力する。
【０１００】
また、制御部２０８は、束ＡＣＫ／ＮＡＣＫ信号を束ＡＣＫ／ＮＡＣＫリソースを用いて送信すると判断した場合、予め基地局１００から通知されている束ＡＣＫ／ＮＡＣＫリソースの参照信号部分（参照信号リソース）に対応するＢａｓｅ ｓｅｑｕｅｎｃｅ及び循環シフト量を、１次拡散部２１４−２へ出力し、ウォルシュ系列を２次拡散部２１５−２へ出力する。また、制御部２０８は、束ＡＣＫ／ＮＡＣＫリソースの周波数リソース情報をＩＦＦＴ部２１８−２に出力する。
【０１０１】
また、制御部２０８は、束ＡＣＫ／ＮＡＣＫリソースのデータ部分の拡散に用いるＤＦＴ系列を拡散部２１７に出力し、束ＡＣＫ／ＮＡＣＫリソースの周波数リソース情報をＩＦＦＴ部２１８−３に出力する。
【０１０２】
また、制御部２０８は、束ＡＣＫ／ＮＡＣＫリソース又はＡ／Ｎリソースのいずれかを選択し、選択したリソースを無線送信部２２２に出力するよう選択部２２１に指示する。更に、制御部２０８は、選択したリソースに応じて、束ＡＣＫ／ＮＡＣＫ信号又はＡＣＫ／ＮＡＣＫ信号のいずれかを生成するよう応答信号生成部２１２に指示する。なお、制御部２０８における、Ａ／Ｎリソース（ＰＵＣＣＨリソース）の決定方法については後述する。
【０１０３】
復調部２０９は、抽出部２０４から受け取る下り回線データを復調し、復調後の下り回線データを復号部２１０へ出力する。
【０１０４】
復号部２１０は、復調部２０９から受け取る下り回線データを復号し、復号後の下り回線データをＣＲＣ部２１１へ出力する。
【０１０５】
ＣＲＣ部２１１は、復号部２１０から受け取る復号後の下り回線データを生成し、ＣＲＣを用いて下り単位バンド毎に誤り検出し、ＣＲＣ＝ＯＫ（誤り無し）の場合にはＡＣＫを、ＣＲＣ＝ＮＧ（誤り有り）の場合にはＮＡＣＫを、応答信号生成部２１２へそれぞれ出力する。また、ＣＲＣ部２１１は、ＣＲＣ＝ＯＫ（誤り無し）の場合には、復号後の下り回線データを受信データとして出力する。
【０１０６】
応答信号生成部２１２は、ＣＲＣ部２１１から入力される、各下り単位バンドにおける下り回線データの受信状況（下り回線データの誤り検出結果）に基づいて応答信号を生成する。すなわち、応答信号生成部２１２は、制御部２０８から束ＡＣＫ／ＮＡＣＫ信号を生成するように指示された場合には、下り単位バンド毎の誤り検出結果の各々が個別データとして含まれている束ＡＣＫ／ＮＡＣＫ信号を生成する。一方、応答信号生成部２１２は、制御部２０８からＡＣＫ／ＮＡＣＫ信号を生成するように指示された場合には、１シンボルのＡＣＫ／ＮＡＣＫ信号を生成する。そして、応答信号生成部２１２は生成した応答信号を符号化・変調部２１３に出力する。なお、応答信号生成部２１２における、ＡＣＫ／ＮＡＣＫ信号の生成方法については後述する。
【０１０７】
符号化・変調部２１３は、束ＡＣＫ／ＮＡＣＫ信号が入力された場合には、入力された束ＡＣＫ／ＮＡＣＫ信号を符号化・変調し、１２シンボルの変調信号を生成し、ＤＦＴ部２１６へ出力する。また、符号化・変調部２１３は、１シンボルのＡＣＫ／ＮＡＣＫ信号が入力された場合には、当該ＡＣＫ／ＮＡＣＫ信号を変調し、１次拡散部２１４−１に出力する。
【０１０８】
ＤＦＴ部２１６は、入力される時系列の束ＡＣＫ／ＮＡＣＫ信号を１２個纏めてＤＦＴ処理を行うことにより、１２個の周波数軸上の信号成分を得る。そして、ＤＦＴ部２１６は１２個の信号成分を拡散部２１７に出力する。
【０１０９】
拡散部２１７は、制御部２０８から指示されたＤＦＴ系列を用いて、ＤＦＴ部２１６から入力された１２個の信号成分を拡散し、ＩＦＦＴ部２１８−３に出力する。
【０１１０】
また、Ａ／Ｎリソース、及び、束ＡＣＫ／ＮＡＣＫリソースの参照信号リソースに対応する１次拡散部２１４−１及び２１４−２は、制御部２０８の指示に従ってＡＣＫ／ＮＡＣＫ信号又は参照信号を、リソースに対応するＢａｓｅ ｓｅｑｕｅｎｃｅによって拡散し、拡散した信号を２次拡散部２１５−１，２１５−２へ出力する。
【０１１１】
２次拡散部２１５−１，２１５−２は、制御部２０８の指示により、入力された１次拡散後の信号をウォルシュ系列又はＤＦＴ系列を用いて拡散しＩＦＦＴ部２１８−１，２１８−２に出力する。
【０１１２】
ＩＦＦＴ部２１８−１，２１８−２，２１８−３は、制御部２０８の指示により、入力された信号を、配置されるべき周波数位置に対応付けてＩＦＦＴ処理を行う。これにより、ＩＦＦＴ部２１８−１，２１８−２，２１８−３に入力された信号（すなわち、ＡＣＫ／ＮＡＣＫ信号、Ａ／Ｎリソースの参照信号、束ＡＣＫ／ＮＡＣＫリソースの参照信号、束ＡＣＫ／ＮＡＣＫ信号）は時間領域の信号に変換される。
【０１１３】
ＣＰ付加部２１９−１，２１９−２，２１９−３は、ＩＦＦＴ後の信号の後尾部分と同じ信号をＣＰとしてその信号の先頭に付加する。
【０１１４】
時間多重部２２０は、ＣＰ付加部２１９−３から入力される束ＡＣＫ／ＮＡＣＫ信号（すなわち、束ＡＣＫ／ＮＡＣＫリソースのデータ部分を用いて送信される信号）と、ＣＰ付加部２１９−２から入力される束ＡＣＫ／ＮＡＣＫリソースの参照信号とを、束ＡＣＫ／ＮＡＣＫリソースに時間多重し、得られた信号を選択部２２１へ出力する。
【０１１５】
選択部２２１は、制御部２０８の指示に従って、時間多重部２２０から入力される束ＡＣＫ／ＮＡＣＫリソースとＣＰ付加部２１９−１から入力されるＡ／Ｎリソースのいずれかを選択し、選択したリソースに割り当てられた信号を無線送信部２２２へ出力する。
【０１１６】
無線送信部２２２は、選択部２２１から受け取る信号に対しＤ／Ａ変換、増幅及びアップコンバート等の送信処理を行い、アンテナから基地局１００へ送信する。
【０１１７】
［基地局１００及び端末２００の動作］
上述のように構成された基地局１００及び端末２００の動作について説明する。
【０１１８】
以下、ランク落ちが発生した場合における、ＡＣＫ／ＮＡＣＫ信号の生成方法（マッピング方法）について、ＰＣｅｌｌが２ＣＷと設定され、ＳＣｅｌｌが２ＣＷと設定され、かつ、クロスキャリアスケジューリング（Cross-carrier scheduling）された場合の例を、図１６を援用して詳述する。ただし、同図では、ＰＣｅｌｌからＳＣｅｌｌのクロスキャリアスケジューリングの例を示す。すなわち、ＰＣｅｌｌ内のＰＤＣＣＨが、ＳＣｅｌｌ内のＰＤＳＣＨを指示する。
【０１１９】
ＰＣｅｌｌ内のＰＤＳＣＨを指示するＰＤＣＣＨが占有している、ＣＣＥの先頭ＣＣＥインデックス（ｎ＿ＣＣＥ）に１対１に関連付けられて、上り単位バンド内のＰＵＣＣＨリソース１が割り当てられる（Implicit signalling）。また、ＰＣｅｌｌ内のＰＤＳＣＨを指示するＰＤＣＣＨが占有している、ＣＣＥの先頭ＣＣＥインデックスの次のインデックス（ｎ＿ＣＣＥ＋１）に１対１に関連付けられて、上り単位バンド内のＰＵＣＣＨリソース２が割り当てられる（Implicit signalling）。
【０１２０】
さらに、ＰＣｅｌｌからＳＣｅｌｌにクロスキャリアスケジューリングされた、ＳＣｅｌｌ内のＰＤＳＣＨを指示するＰＣｅｌｌ内のＰＤＣＣＨが占有している、ＣＣＥの先頭ＣＣＥインデックス（ｎ＿ＣＣＥ’（ｎ＿ＣＣＥ’≠ｎ＿ＣＣＥ））に１対１に関連付けられて、上り単位バンド内のＰＵＣＣＨリソース３が割り当てられる（Implicit signalling）。また、ＰＣｅｌｌ内のＰＤＳＣＨを指示するＰＤＣＣＨが占有している、ＣＣＥの先頭ＣＣＥインデックスの次のインデックス（ｎ＿ＣＣＥ’＋１）に１対１に関連付けられて、上り単位バンド内のＰＵＣＣＨリソース４が割り当てられる（Implicit signalling）。
【０１２１】
なお、第一のＳＣｅｌｌから第二のＳＣｅｌｌにクロスキャリアスケジューリングされる場合、上記ＰＵＣＣＨリソース３、４は、基地局から予め通知されてもよい（Explicit signalling）。また、図１７に示すように、クロスキャリアスケジューリングされない場合も、同様に、ＰＵＣＣＨリソース３、４は、基地局から予め通知されてもよい（Explicit signalling）。
【０１２２】
なお、ＰＣｅｌｌ内のＰＤＳＣＨを指示するＰＤＣＣＨが占有している、ＣＣＥの先頭ＣＣＥインデックス（ｎ＿ＣＣＥ）に１対１に関連付けられたＰＵＣＣＨリソース１を除く、他のＰＵＣＣＨリソース（ＰＵＣＣＨリソース２、３、４）は、基地局から予め通知されてもよい（Explicit signalling）。
【０１２３】
図１８に、２ＣＣ時、ＰＣｅｌｌ、ＳＣｅｌｌともに２ＣＷと設定された場合（ＡＣＫ／ＮＡＣＫビット数が４ビットに設定された場合）のＡＣＫ／ＮＡＣＫ信号の生成方法（マッピング）の一例を示す。ただし、同図のＰＵＣＣＨリソース１、２、３、４は、図１６で示したＰＵＣＣＨリソース１、２、３、４にそれぞれ対応する。なお、ＰＵＣＣＨリソースとマッピングの対応付けはこれに限定されるものではない。例えば、ＰＵＣＣＨリソース２と３のマッピングの対応を入れ替えてもよい。ＰＵＣＣＨリソース３と４のマッピングの対応を入れ替えてもよい。また、ランク落ちなしの場合、ＰＣｅｌｌがランク落ちした場合、ＳＣｅｌｌがランク落ちした場合、ＰＣｅｌｌとＳＣｅｌｌがそれぞれランク落ちした場合で、ＰＵＣＣＨリソースとマッピングの対応付けが異なっていてもよい。
【０１２４】
複数のＡＣＫまたはＮＡＣＫまたはＤＴＸから構成される組合せを構成するビットを、順にビットｂ０、ｂ１、ｂ２、ｂ３とし、この順に、ＰＣｅｌｌのＰＤＳＣＨのＣＷ０のＡＣＫ／ＮＡＣＫ信号、ＰＣｅｌｌのＰＤＳＣＨのＣＷ１のＡＣＫ／ＮＡＣＫ信号、ＳＣｅｌｌのＰＤＳＣＨのＣＷ０のＡＣＫ／ＮＡＣＫ信号、ＳＣｅｌｌのＰＤＳＣＨのＣＷ１のＡＣＫ／ＮＡＣＫ信号に対応付けられている。なお、ビットとＡＣＫ／ＮＡＣＫ信号の対応付けはこれに限定されるものではない。
【０１２５】
また、図１８の４ビットのマッピングは、２ＣＣ時、ＰＣｅｌｌ、ＳＣｅｌｌともに２ＣＷが端末に設定された場合の一例であり、これに限定されるものではなく、ＣＣ数が２個以上であり、少なくとも１個のＣＣが２ＣＷに設定されている場合であればよい。
【０１２６】
以下、図１８のマッピングを用いて、ランク落ちが発生した場合における、ランク落ちした非伝送のＣＷに対する誤り検出結果のＡＣＫ、ＮＡＣＫまたはＤＴＸの選択基準について、選択基準１〜６に示す。
【０１２７】
［選択基準１：ＰＵＣＣＨリソース内のコンスタレーションが最も遠くなるマッピングを選択］
図１９に、ＰＵＣＣＨリソース内のコンスタレーションが最も遠くなるマッピングを選択する選択基準を用いた場合において、ＳＣｅｌｌがランク落ちした時のマッピングを示す。
【０１２８】
図１９において、ＳＣｅｌｌがランク落ちした非伝送のＣＷに対応する誤り検出結果を除く、誤り検出結果の各組合せについて、（Ａ，Ａ，Ａ）の組合せにのみ、ランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、１つの非伝送のＣＷに対する誤り検出結果がＡＣＫであり、残りの非伝送のＣＷに対する誤り検出結果がＮＡＣＫまたはＤＴＸである。
【０１２９】
上記（Ａ，Ａ，Ａ）の組合せについてもＮＡＣＫまたはＤＴＸとすると、ＳＣｅｌｌがランク落ちした時のＰＵＣＣＨリソース２内のコンスタレーションが、＋ｊと＋１になる。一方で、（Ａ，Ａ，Ａ）の組合せをＡＣＫとすることにより、ＳＣｅｌｌがランク落ちした時のＰＵＣＣＨリソース２内のコンスタレーションが、−１と＋１になり、ＰＵＣＣＨリソース内の２つのコンスタレーションが最も遠くなる、すなわちＢＰＳＫマッピングが得られる。これにより、ランク落ちした時のＰＵＣＣＨリソース２の応答信号の伝送特性を改善することができる。
【０１３０】
［選択基準２：ＰＵＣＣＨリソース内のコンスタレーションがグレイマッピングになるよう選択］
図２０に、ＰＵＣＣＨリソース内のコンスタレーションが最も遠くなるマッピングを選択する選択基準を用いた場合において、ＰＣｅｌｌがランク落ちした時のマッピングを示す。
【０１３１】
図２０において、ＰＣｅｌｌがランク落ちした非伝送のＣＷに対応する誤り検出結果を除く、誤り検出結果の各組合せについて、（Ｎ／Ｄ，Ｎ／Ｄ，Ａ）の組合せにのみ、ランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、１つ（ＮＡＣＫとＤＴＸをそれぞれ独立に計数すると４つ）の非伝送のＣＷに対する誤り検出結果がＡＣＫであり、残りの非伝送のＣＷに対する誤り検出結果がＮＡＣＫまたはＤＴＸである。
【０１３２】
上記（Ｎ／Ｄ，Ｎ／Ｄ，Ａ）の組合せについてもＮＡＣＫまたはＤＴＸとすると、ＰＣｅｌｌがランク落ちした時のＰＵＣＣＨリソース４において、（Ｎ／Ｄ，Ａ，Ａ）のコンスタレーションが−１、（Ｎ／Ｄ，Ａ，Ｎ／Ｄ）が＋ｊ、（Ｎ／Ｄ，Ｎ／Ｄ，Ａ）が＋１になり、−１と＋ｊの隣接するコンスタレーションについては、誤り検出結果が１ビット異なるだけであるが、＋ｊと＋１の隣接するコンスタレーションについては、誤り検出結果が２ビット分異なってしまう。一方で、（Ｎ／Ｄ，Ｎ／Ｄ，Ａ）の組合せをＡＣＫとすることにより、ＰＵＣＣＨリソース４において、（Ｎ／Ｄ，Ａ，Ａ）のコンスタレーションが−１、（Ｎ／Ｄ，Ａ，Ｎ／Ｄ）が＋ｊ、（Ｎ／Ｄ，Ｎ／Ｄ，Ａ）が−ｊになり、−１と＋ｊ、および、−１と−ｊのそれぞれ隣接するコンスタレーションについて、誤り検出結果が１ビット異なるだけになる、すなわち、グレイマッピングになるよう変更できる。これにより、ＰＣｅｌｌがランク落ちした時のＰＵＣＣＨリソース４の応答信号の伝送特性を改善することができる。
【０１３３】
［選択基準３：ＰＵＣＣＨ  ｆｏｒｍａｔ１ａへのｆａｌｌｂａｃｋをサポートするマッピングを選択］
図２１に、ＰＣｅｌｌがランク落ちした場合に、ＰＵＣＣＨ  ｆｏｒｍａｔ１ａへのｆａｌｌｂａｃｋをサポートする選択基準を用いた場合の、ＰＣｅｌｌがランク落ちした場合のマッピングを示す。
【０１３４】
図２１において、ＰＣｅｌｌがランク落ちした非伝送のＣＷに対応する誤り検出結果を除く、誤り検出結果の各組合せについて、（Ａ，Ｎ／Ｄ，Ｎ／Ｄ）の組合せのみ、ランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、１つ（ＮＡＣＫとＤＴＸをそれぞれ独立に計数すると４つ）の非伝送のＣＷに対する誤り検出結果がＡＣＫであり、残りの非伝送のＣＷに対する誤り検出結果がＮＡＣＫまたはＤＴＸである。
【０１３５】
上記（Ａ，Ｎ／Ｄ，Ｎ／Ｄ）の組合せについてもＮＡＣＫまたはＤＴＸとすると、ＰＣｅｌｌがランク落ちした時のＰＵＣＣＨリソース１において、（Ａ，Ｎ／Ｄ，Ｎ／Ｄ）のコンスタレーションが＋ｊ、（Ｄ，Ｎ／Ｄ，Ｎ／Ｄ）を除く（Ｎ／Ｄ，Ｎ／Ｄ，Ｎ／Ｄ）が＋１になる。端末と基地局の間で、設定しているＣＣ数の認識に違いがあり、端末は２ＣＣと認識していて、基地局は１ＣＣと認識している場合、端末は、ＳＣｅｌｌのＰＤＳＣＨに対応するＰＤＣＣＨの受信に失敗すると、ランク落ちしたＰＣｅｌｌのＰＤＳＣＨ（１ＣＷ分）に対応するＡＣＫまたはＮＡＣＫに基づいて、ＰＵＣＣＨリソース１に、それぞれ、ＡＣＫを＋ｊ、ＮＡＣＫを−１とした応答信号を、基地局に通知する。基地局は、図６（ａ）に示す、ＰＵＣＣＨ  ｆｏｒｍａｔ１ａのマッピング、すなわち、ＡＣＫが−１、ＮＡＣＫが＋１というマッピングを用いて応答信号を検出する。ＰＣｅｌｌの１ＣＷがＡＣＫの場合のマッピングが両者で異なるため、端末と基地局の間で、設定しているＣＣ数の認識が異なる場合に、ＡＣＫの検出エラーの発生確率が増大してしまう。
【０１３６】
上記とは逆の場合、すなわち、端末は１ＣＣと認識していて、基地局は２ＣＣと認識している場合も同様であり、端末は、ＳＣｅｌｌのＰＤＳＣＨに対応するＰＤＣＣＨを受信せず、ランク落ちしたＰＣｅｌｌのＰＤＳＣＨに対するＡＣＫまたはＮＡＣＫに基づいて、ＰＵＣＣＨリソース１に、図６（ａ）に示すＰＵＣＣＨ  ｆｏｒｍａｔ１ａのマッピング、すなわち、ＡＣＫが−１、ＮＡＣＫが＋１というマッピングを用いて、応答信号を基地局に通知する。基地局は、ＰＵＣＣＨリソース１において、（Ａ，Ｎ／Ｄ，Ｎ／Ｄ）のコンスタレーションを＋ｊ、（Ｄ，Ｎ／Ｄ，Ｎ／Ｄ）を除く（Ｎ／Ｄ，Ｎ／Ｄ，Ｎ／Ｄ）を＋１と判断して、応答信号を検出する。ＰＣｅｌｌの１ＣＷがＡＣＫの場合のマッピングが両者で異なるため、端末と基地局の間で、設定しているＣＣ数の認識が異なる場合に、ＡＣＫの検出エラーの発生確率が増大してしまう。
【０１３７】
一方で、上記（Ａ，Ｎ／Ｄ，Ｎ／Ｄ）の組合せのみ、ランク落ちした非伝送のＣＷに対する誤り検出結果をＡＣＫとすることにより、ＰＵＣＣＨリソース１において、（Ａ，Ｎ／Ｄ，Ｎ／Ｄ）のコンスタレーションが−１、（Ａ，Ｎ／Ｄ，Ｎ／Ｄ）が＋ｊ、（Ｄ，Ｎ／Ｄ，Ｎ／Ｄ）を除く（Ｎ／Ｄ，Ｎ／Ｄ，Ｎ／Ｄ）が＋１になり、ＰＣｅｌｌがランク落ちしている場合、かつ、端末と基地局の間で、設定しているＣＣ数の認識に違いがある場合において、ＰＵＣＣＨ  ｆｏｒｍａｔ１ａへのｆａｌｌｂａｃｋをサポートすることができる。これにより、基地局スケジューラの自由度を向上させることができる。
【０１３８】
［選択基準４：応答信号を通知するために用いるＰＵＣＣＨリソース候補を削減するマッピングを選択］
図２２に、応答信号を通知するために用いるＰＵＣＣＨリソース候補を削減する選択基準を用いた場合の、ランク落ちした場合のマッピングを示す。ただし同図は、ＰＣｅｌｌとＳＣｅｌｌがそれぞれランク落ちした場合の例である。
【０１３９】
図２２において、ＰＣｅｌｌとＳＣｅｌｌがランク落ちした非伝送のＣＷに対応する誤り検出結果を除く、誤り検出結果の各組合せについて、（Ａ，Ａ）と（Ｎ／Ｄ，Ａ）の組合せのみ、ＰＣｅｌｌがランク落ちした非伝送のＣＷに対する誤り検出結果をＡＣＫ、ＳＣｅｌｌがランク落ちした非伝送のＣＷに対する誤り検出結果をＮＡＣＫまたはＤＴＸとし、それ以外の組合せについては、ＮＡＣＫまたはＤＴＸとしている。すなわち、非伝送のＣＷに対応する誤り検出結果を除く、誤り検出結果の各組合せのうち、２つ（ＮＡＣＫとＤＴＸをそれぞれ独立に計数すると３つ）の非伝送のＣＷに対する誤り検出結果がＡＣＫであり、残りの非伝送のＣＷに対する誤り検出結果がＮＡＣＫまたはＤＴＸである。
【０１４０】
上記（Ａ，Ａ）と（Ｎ／Ｄ，Ａ）の組合せについてもＮＡＣＫまたはＤＴＸとすると、ＰＣｅｌｌとＳＣｅｌｌがともにランク落ちした時、端末は、基地局に応答信号を通知するために、ＰＵＣＣＨリソース１，３，４の３個のＰＵＣＣＨリソースのいずれかを用いる必要がある。一方で、上記（Ａ，Ａ）と（Ｎ／Ｄ，Ａ）の組合せをＡＣＫとすることにより、ＰＵＣＣＨリソース１，２の２個のＰＵＣＣＨリソースのどちらかを用いればよくなる。これにより、空いた１個分のＰＵＣＣＨリソースを他の端末に割り当てるなど、ＰＵＣＣＨリソースを有効に活用することができる。
【０１４１】
なお、選択基準４により得られる最少のＰＵＣＣＨリソース数は、ＡＣＫと、ＮＡＣＫまたはＤＴＸの２通りに、実際に伝送されたＣＷの総数を累乗したものを、２（全てＢＰＳＫマッピングする場合）または４（全てＱＰＳＫマッピングする場合）で除算したものである。すなわち、ランク落ちによって、実際に伝送されたＣＷの総数が２であった場合、全てのＰＵＣＣＨリソースをＢＰＳＫでマッピングするのであれば、ＰＵＣＣＨリソースは２個、ＱＰＳＫでマッピングするのであれば、ＰＵＣＣＨリソースは１個となる。ＢＰＳＫマッピングとＱＰＳＫマッピングを混在させる、あるいは、ＰＵＣＣＨリソース１個に３つのコンスタレーションをマッピングするのであれば、ＰＵＣＣＨリソースは２〜３個の値をとりうる。ランク落ちによって、実際に伝送されたＣＷの総数が３であった場合は、全てのＰＵＣＣＨリソースをＢＰＳＫでマッピングするのであれば、ＰＵＣＣＨリソースは４個、全てのＰＵＣＣＨリソースをＱＰＳＫでマッピングするのであれば、ＰＵＣＣＨリソースは２個となる。ＢＰＳＫマッピングとＱＰＳＫマッピングを混在させる、あるいは、ＰＵＣＣＨリソース１個に３つのコンスタレーションをマッピングするのであれば、ＰＵＣＣＨリソースは２〜４個の値をとりうる。つまり、選択基準４により得られるＰＵＣＣＨリソース数の範囲は、２を伝送された総ＣＷ数で累乗したものを、４で除算した値以上、２を伝送された総ＣＷ数で累乗したものを、２で除算した値以下、となる。
【０１４２】
［選択基準５：応答信号を通知するために用いるＰＵＣＣＨリソース候補を増加するマッピングを選択］
図２３に、応答信号を通知するために用いるＰＵＣＣＨリソース候補を増加する選択基準を用いた場合の、ランク落ちした場合のマッピングを示す。ただし同図は、ＰＣｅｌｌがランク落ちした場合の例である。
【０１４３】
図２３において、ＰＣｅｌｌがランク落ちした非伝送のＣＷに対応する誤り検出結果を除く、誤り検出結果の各組合せについて、（Ａ，Ａ，Ｎ／Ｄ）と（Ｎ／Ｄ，Ａ，Ｎ／Ｄ）の組合せのみ、ＰＣｅｌｌがランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、２つ（ＮＡＣＫとＤＴＸをそれぞれ独立に計数すると６つ）の非伝送のＣＷに対する誤り検出結果がＡＣＫであり、残りの非伝送のＣＷに対する誤り検出結果がＮＡＣＫまたはＤＴＸである。
【０１４４】
上記（Ａ，Ａ，Ｎ／Ｄ）と（Ｎ／Ｄ，Ａ，Ｎ／Ｄ）の組合せについてもＮＡＣＫまたはＤＴＸとすると、ＰＣｅｌｌがランク落ちした時、端末は、基地局に応答信号を通知するために、ＰＵＣＣＨリソース１，３，４の３個のＰＵＣＣＨリソースのいずれかを用いる必要がある。一方で、上記（Ａ，Ａ，Ｎ／Ｄ）と（Ｎ／Ｄ，Ａ，Ｎ／Ｄ）の組合せをＡＣＫとすることにより、ＰＵＣＣＨリソース１，２，３，４の４個のＰＵＣＣＨリソースのいずれかを用いることができる。これにより、マッピングテーブルに割り当て可能な最大のＰＵＣＣＨリソース数を用いることができ、ＰＵＣＣＨリソース１個当たりのコンスタレーション数を低減することにより、応答信号の伝送特性を改善することができる。
【０１４５】
選択基準５により得られる最多のＰＵＣＣＨリソース数は、端末に設定されたＣＣ数およびＣＣ毎のＣＷ数から選択されるマッピングが取りうる、最多のＰＵＣＣＨリソース数である。すなわち、図２３では、ＰＵＣＣＨ１，２，３，４の４個が最多となる。より具体的には、ＰＵＣＣＨリソース数は、実際に伝送されたＣＷ数の総数より大きく、設定されているＣＷ数の総数以下であればよい。
【０１４６】
以上、ランク落ちした非伝送のＣＷに対する誤り検出結果のＡＣＫ、ＮＡＣＫまたはＤＴＸの選択基準について、選択基準１〜５を用いて説明した。
【０１４７】
［選択基準の組合せ］
以下に、選択基準１〜５の組合せ例を組合せ例１〜３を用いて説明する。選択基準４と選択基準５は、相互に排他であり、同時に用いることができないが、それ以外の組合せについては任意に組合せが可能である。
【０１４８】
［選択基準の組合せ例１：選択基準１，３，４の組合せ］
図２４に、選択基準１，３，４を組合せた場合、すなわち、ＰＵＣＣＨリソース内のコンスタレーションが最も遠くなるマッピングを選択する選択基準と、ＰＣｅｌｌがランク落ちした場合に、ＰＵＣＣＨ  ｆｏｒｍａｔ１ａへのｆａｌｌｂａｃｋをサポートする選択基準と、応答信号を通知するために用いるＰＵＣＣＨリソース候補を削減する選択基準と、を用いた場合の、ＰＣｅｌｌとＳＣｅｌｌがそれぞれランク落ちした場合のマッピングを示す。
【０１４９】
図２４において、ＰＣｅｌｌとＳＣｅｌｌがそれぞれランク落ちした非伝送のＣＷに対応する誤り検出結果を除く、誤り検出結果の各組合せのうち、（Ａ，Ａ）、（Ｎ／Ｄ，Ａ）および（Ａ，Ｎ／Ｄ）の組合せについて、ＰＣｅｌｌがランク落ちした非伝送のＣＷに対する誤り検出結果をＡＣＫとし、（Ｎ／Ｄ，Ｎ／Ｄ）の組合せについては、ＮＡＣＫまたはＤＴＸとしている。すなわち、非伝送のＣＷに対応する誤り検出結果を除く、誤り検出結果の各組合せのうち、３つ（ＮＡＣＫとＤＴＸをそれぞれ独立に計数すると５つ）の非伝送のＣＷに対する誤り検出結果がＡＣＫであり、残りの非伝送のＣＷに対する誤り検出結果がＮＡＣＫまたはＤＴＸである。
【０１５０】
これにより、ＰＵＣＣＨリソース１、２において、２つのコンスタレーションが最も遠くなるマッピング、すなわちＢＰＳＫマッピングが得られる。ＰＵＣＣＨリソース１において、ＰＵＣＣＨ  ｆｏｒｍａｔ１ａへのｆａｌｌｂａｃｋをサポートできる。さらに、ＰＵＣＣＨリソース１，２の２個のＰＵＣＣＨリソースのいずれかを用いることができる。
【０１５１】
［選択基準の組合せ例２：選択基準１，３，５の組合せ］
図２５に、選択基準１，３，５を組合せた場合、すなわち、ＰＵＣＣＨリソース内のコンスタレーションが最も遠くなるマッピングを選択する選択基準と、ＰＣｅｌｌがランク落ちした場合に、ＰＵＣＣＨ  ｆｏｒｍａｔ１ａへのｆａｌｌｂａｃｋをサポートする選択基準と、応答信号を通知するために用いるＰＵＣＣＨリソース候補を増加する選択基準と、を用いた場合の、ＰＣｅｌｌがランク落ちした場合のマッピングを示す。
【０１５２】
図２５において、ＰＣｅｌｌがランク落ちした非伝送のＣＷに対応する誤り検出結果を除く、誤り検出結果の各組合せのうち、（Ａ，Ａ，Ａ）、（Ｎ／Ｄ，Ａ，Ｎ／Ｄ）、（Ａ，Ｎ／Ｄ，Ａ）および（Ａ，Ｎ／Ｄ，Ｎ／Ｄ）の組合せについて、ＰＣｅｌｌがランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、４つ（ＮＡＣＫとＤＴＸをそれぞれ独立に計数すると１１つ）の非伝送のＣＷに対する誤り検出結果がＡＣＫであり、残りの非伝送のＣＷに対する誤り検出結果がＮＡＣＫまたはＤＴＸである。
【０１５３】
これにより、ＰＵＣＣＨリソース１，２，３，４のそれぞれにおいて、２つのコンスタレーションが最も遠くなるマッピング、すなわちＢＰＳＫマッピングが得られる。ＰＵＣＣＨリソース１において、ＰＵＣＣＨ  ｆｏｒｍａｔ１ａへのｆａｌｌｂａｃｋをサポートできる。さらに、ＰＵＣＣＨリソース１，２，３，４の４個のＰＵＣＣＨリソースのいずれかを用いることができる。
【０１５４】
［選択基準の組合せ例３：選択基準２，３の組合せ］
図２６に、選択基準２，３を組合せた場合、すなわち、ＰＵＣＣＨリソース内のコンスタレーションがグレイマッピングになる選択基準と、ＰＣｅｌｌがランク落ちした場合に、ＰＵＣＣＨ  ｆｏｒｍａｔ１ａへのｆａｌｌｂａｃｋをサポートする選択基準と、を用いた場合の、ＰＣｅｌｌがランク落ちした場合のマッピングを示す。
【０１５５】
図２６において、ＰＣｅｌｌがランク落ちした非伝送のＣＷに対応する誤り検出結果を除く、誤り検出結果の各組合せのうち、（Ａ，Ｎ／Ｄ，Ａ）、（Ｎ／Ｄ，Ｎ／Ｄ，Ａ）および（Ａ，Ｎ／Ｄ，Ｎ／Ｄ）の組合せについて、ＰＣｅｌｌがランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、３つ（ＮＡＣＫとＤＴＸをそれぞれ独立に計数すると１０つ）の非伝送のＣＷに対する誤り検出結果がＡＣＫであり、残りの非伝送のＣＷに対する誤り検出結果がＮＡＣＫまたはＤＴＸである。
【０１５６】
これにより、ＰＵＣＣＨリソース３，４のそれぞれにおいて、グレイマッピングが得られる。さらに、ＰＵＣＣＨリソース１において、ＰＵＣＣＨ  ｆｏｒｍａｔ１ａへのｆａｌｌｂａｃｋをサポートできる。
【０１５７】
以上、選択基準の組合せについて、組合せ例１〜３を用いて説明した。
【０１５８】
なお、上記の全ての説明において、ＣＷ１側のＣＷを非伝送のＣＷとして例示しているが、本発明はそれに限定されず、ＣＷ０側のＣＷを非伝送のＣＷとしてもよい。ＣＷ０側のＣＷを非伝送のＣＷとする一例を、図２７に挙げる。ただし、図２７（ａ）は、ＰＣｅｌｌがランク落ちした場合の例である。図２７（ｂ）は、ＰＣｅｌｌとＳＣｅｌｌがそれぞれランク落ちした場合の例である。それぞれのマッピングは、判定基準３に基づく。なお、同図の例では、ＰＣｅｌｌ、ＳＣｅｌｌともにＣＷ０側のＣＷを非伝送のＣＷとしたが、一方のＣｅｌｌでＣＷ０側、他方のセルでＣＷ１側を非伝送のＣＷとしてもよい。
【０１５９】
なお、本発明は、図１８のマッピングに限定されない。図１８のマッピングとは異なる例として、図２８に示すマッピングを用いて説明する。なお、本説明では、一例として選択基準３を用いた選択を行う。図２９（ａ）に、ＰＣｅｌｌがランク落ちした場合の例を示す。図２９（ｂ）に、ＰＣｅｌｌとＳＣｅｌｌがそれぞれランク落ちした場合の例を示す。図２９（ａ）、図２９（ｂ）ともに、ＰＣｅｌｌがランク落ちした非伝送のＣＷに対応する誤り検出結果を除く、誤り検出結果の各組合せについて、（Ａ，Ｎ／Ｄ，Ｎ／Ｄ）の組合せにのみ、ランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、１つ（ＮＡＣＫとＤＴＸをそれぞれ独立に計数すると４つ）の非伝送のＣＷに対する誤り検出結果がＡＣＫであり、残りの非伝送のＣＷに対する誤り検出結果がＮＡＣＫまたはＤＴＸである。
【０１６０】
なお、本発明は、ＡＣＫ／ＮＡＣＫビット数が４ビットのマッピングに限定されるものではない。一例として、図３０に示す３ビットのマッピングを用いて説明する。図３０は、２ＣＣ時、ＰＣｅｌｌ、ＳＣｅｌｌの一方が２ＣＷ、他方が１ＣＷに設定された場合（ＡＣＫ／ＮＡＣＫビット数が３ビットに設定された場合）のＡＣＫ／ＮＡＣＫ信号の生成方法（マッピング）の一例である。複数のＡＣＫまたはＮＡＣＫまたはＤＴＸから構成される組合せを構成するビットを、順にビットｂ０、ｂ１、ｂ２とし、この順に、２ＣＷが設定されたＣｅｌｌのＰＤＳＣＨのＣＷ０のＡＣＫ／ＮＡＣＫ信号、２ＣＷが設定されたＣｅｌｌのＰＤＳＣＨのＣＷ１のＡＣＫ／ＮＡＣＫ信号、１ＣＷが設定されたＣｅｌｌのＰＤＳＣＨのＡＣＫ／ＮＡＣＫ信号に対応付けられている。なお、ビットとＡＣＫ／ＮＡＣＫ信号の対応付けはこれに限定されるものではない。
【０１６１】
図３１に、図３０において、２ＣＷが設定されたＣｅｌｌがランク落ちしたときに、選択基準１（ＰＣｅｌｌが２ＣＷに設定されている場合は、選択基準３と表現することもできる）を用いた選択を行うマッピングを示す。２ＣＷに設定されたＣｅｌｌがランク落ちした非伝送のＣＷに対応する誤り検出結果を除く、誤り検出結果の各組合せについて、（Ａ，Ｎ／Ｄ）の組合せにのみ、ランク落ちした非伝送のＣＷに対する誤り検出結果をＡＣＫとし、それ以外の組合せについては、ＮＡＣＫまたはＤＴＸとしている。すなわち、非伝送のＣＷに対応する誤り検出結果を除く、誤り検出結果の各組合せのうち、１つ（ＮＡＣＫとＤＴＸをそれぞれ独立に計数すると２つ）の非伝送のＣＷに対する誤り検出結果がＡＣＫであり、残りの非伝送のＣＷに対する誤り検出結果がＮＡＣＫまたはＤＴＸである。
【０１６２】
なお、非伝送のＣＷに対応する誤り検出結果を除く、誤り検出結果の各組合せに対する、ランク落ちした非伝送のＣＷに対する誤り検出結果は、選択基準に基づいて、基地局と端末とで予め一意に定められてもよいし、基地局により端末に設定されてもよい。
【０１６３】
このようにして、端末２００は、Channel selection時、ＣＣＥに関連付けられたＰＵＣＣＨリソース、および、基地局１００から予め通知された特定のＰＵＣＣＨリソースの中から、応答信号の送信に用いるリソースを選択し、応答信号の送信を制御する。そして、端末２００は、基地局１００から設定されたＣＷ数よりも実際に伝送されたＣＷ数が少ない場合において、非伝送になった分のＣＷに対応する誤り検出結果を除く、誤り検出結果の各組合せに対して、それぞれ、選択基準に基づいた、非伝送になった分のＣＷに対する誤り検出結果の選択、すなわちＡＣＫ、ＮＡＣＫまたはＤＴＸの選択を行うことにより、応答信号の特性を改善することが可能となる。
【０１６４】
また、基地局１００は、ＣＣＥに関連付けられたＰＵＣＣＨリソース、及び、端末２００に対して予め通知した特定のＰＵＣＣＨリソースの中から、応答信号の送信に用いられたリソースを選択する。そして、基地局１００は、ランク落ちが発生した場合において、ランク落ちした非伝送のＣＷに対応する誤り検出結果を除く、誤り検出結果の各組合せに対して、それぞれ、選択基準に基づいた、ランク落ちした非伝送のＣＷに対する誤り検出結果の選択、すなわちＡＣＫまたはＮＡＣＫ（またはＤＴＸ）の選択を行い、ランク落ちした非伝送のＣＷに対応する誤り検出結果を除く、誤り検出結果の組合せを判定する。
【０１６５】
よって、本実施の形態によれば、上り単位バンド及び上り単位バンドと対応づけられた複数の下り単位バンドを使用した通信においてＡＲＱが適用される場合、かつ、設定されたＣＷ数よりも実際に伝送されたＣＷ数が少ない場合において、非伝送になった分のＣＷに対応する誤り検出結果を除く、誤り検出結果の各組合せに対して、それぞれ、選択基準に基づいた、非伝送になった分のＣＷに対する誤り検出結果の選択、すなわちＡＣＫ、ＮＡＣＫまたはＤＴＸの選択を行うことにより、応答信号の特性を改善することができる。
【０１６６】
以上、本発明の実施の形態について説明した。
【０１６７】
なお、上記実施の形態では、拡散に用いられる系列の一例として、ＺＡＣ系列、ウォルシュ系列及びＤＦＴ系列について説明した。しかし、本発明では、ＺＡＣ系列の代わりに、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、又は、コンピュータによってランダムに生成された時間軸上での自己相関特性が急峻な系列等を１次拡散に用いてもよい。また、ウォルシュ系列及びＤＦＴ系列の代わりに、互いに直交する系列、又は、互いにほぼ直交すると見なせる系列であればいかなる系列を直交符号系列として用いてもよい。以上の説明では、周波数位置、及び、ＺＡＣ系列の循環シフト量と直交符号系列の系列番号とによって応答信号のリソース（例えば、Ａ／Ｎリソース及び束ＡＣＫ／ＮＡＣＫリソース）が定義されている。
【０１６８】
また、上記実施の形態では、基地局１００の制御部１０１は、下り回線データと当該下り回線データに対する下り割当制御情報とを同一の下り単位バンドにマッピングするよう制御するとしたが、これに限定されない。すなわち、下り回線データと当該下り回線データに対する下り割当制御情報とが別の下り単位バンドにマッピングされていても、下り割当制御情報と下り回線データとの対応関係が明確であれば、各実施の形態で説明した技術を適用できる。
【０１６９】
また、本実施の形態では、端末側の処理の順番として、１次拡散、２次拡散の後に、ＩＦＦＴ変換を行う場合について説明した。しかし、これらの処理の順番はこれに限定されない。１次拡散処理の後段にＩＦＦＴ処理がある限り、２次拡散処理の場所はどこにあっても等価な結果が得られる。
【０１７０】
また、上記実施の形態ではアンテナとして説明したが、本発明はアンテナポート（antenna port）でも同様に適用できる。
【０１７１】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１７２】
例えば３ＧＰＰ ＬＴＥにおいては、アンテナポートが何本の物理アンテナから構成されるかは規定されず、基地局が異なる参照信号（Reference signal）を送信できる最小単位として規定されている。
【０１７３】
また、アンテナポートはプリコーディングベクトル（Precoding vector）の重み付けを乗算する最小単位として規定されることもある。
【０１７４】
また、上記実施の形態では、本発明をハードウェアで構成する場合を例にとって説明したが、本発明はソフトウェアで実現することも可能である。
【０１７５】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７６】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１７７】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１７８】
本発明は、移動体通信システム等に適用することができる。
【符号の説明】
【０１７９】
１００  基地局
１０１，２０８  制御部
１０２  制御情報生成部
１０３  符号化部
１０４  変調部
１０５  符号化部
１０６  データ送信制御部
１０７  変調部
１０８  マッピング部
１０９，２１８−１，２１８−２，２１８−３  ＩＦＦＴ部
１１０，２１９−１，２１９−２，２１９−３  ＣＰ付加部
１１１，２２２  無線送信部
１１２，２０１  無線受信部
１１３，２０２  ＣＰ除去部
１１４  ＰＵＣＣＨ抽出部
１１５  逆拡散部
１１６  系列制御部
１１７  相関処理部
１１８  Ａ／Ｎ判定部
１１９  束Ａ／Ｎ逆拡散部
１２０  ＩＤＦＴ部
１２１  束Ａ／Ｎ判定部
１２２  再送制御信号生成部
２００  端末
２０３  ＦＦＴ部
２０４  抽出部
２０５，２０９  復調部
２０６，２１０  復号部
２０７  判定部
２１１  ＣＲＣ部
２１２  応答信号生成部
２１３  符号化・変調部
２１４−１，２１４−２  １次拡散部
２１５−１，２１５−２  ２次拡散部
２１６  ＤＦＴ部
２１７  拡散部
２２０  時間多重部
２２１  選択部
【図１】
2012104874.tif 000003
【図２】
2012104874.tif 000004
【図３】
2012104874.tif 000005
【図４】
2012104874.tif 000006
【図５】
2012104874.tif 000007
【図６】
2012104874.tif 000008
【図７】
2012104874.tif 000009
【図８】
2012104874.tif 000010
【図９】
2012104874.tif 000011
【図１０】
2012104874.tif 000012
【図１１】
2012104874.tif 000013
【図１２】
2012104874.tif 000014
【図１３】
2012104874.tif 000015
【図１４】
2012104874.tif 000016
【図１５】
2012104874.tif 000017
【図１６】
2012104874.tif 000018
【図１７】
2012104874.tif 000019
【図１８】
2012104874.tif 000020
【図１９】
2012104874.tif 000021
【図２０】
2012104874.tif 000022
【図２１】
2012104874.tif 000023
【図２２】
2012104874.tif 000024
【図２３】
2012104874.tif 000025
【図２４】
2012104874.tif 000026
【図２５】
2012104874.tif 000027
【図２６】
2012104874.tif 000028
【図２７】
2012104874.tif 000029
【図２８】
2012104874.tif 000030
【図２９】
2012104874.tif 000031
【図３０】
2012104874.tif 000032
【図３１】
2012104874.tif 000033